(57)【特許請求の範囲】
【請求項１】
受信装置と情報処理装置とを有する情報処理システムであって、
前記情報処理装置は、
放送信号、前記放送信号に関連するコンテンツへのアクセス情報を含む第１の付加情報、および前記放送信号に関連する画像データを少なくとも含む第２の付加情報を送信する送信手段と、
前記放送信号の送信と同時または前記放送信号の送信よりも後に、前記第１の付加情報の送信を開始させ、前記放送信号の送信よりも前に、前記第２の付加情報の送信を開始させる送信制御手段と
を備え、
前記受信装置は、
前記送信手段から、前記放送信号、前記第１の付加情報、および前記第２の付加情報を受信し、前記第１の付加情報に含まれる前記アクセス情報に基づいて、前記放送信号に関連するコンテンツを取得する受信手段と、
前記放送信号を出力手段が出力しているときに、前記放送信号よりも前に受信された前記第２の付加情報に含まれる画像データを表示手段に表示させる表示制御手段と
を備える
ことを特徴とする情報処理システム。
【請求項２】
前記送信制御手段は、前記放送信号の送信開始より少なくとも前記第２の付加情報の送信に要する時間前に、前記第２の付加情報の送信を開始させる
ことを特徴とする請求項１に記載の情報処理システム。
【請求項３】
前記送信制御手段は、前記放送信号よりも前に送信される他の放送信号とともに前記第２の付加情報を送信させる
ことを特徴とする請求項１に記載の情報処理システム。
【請求項４】
前記送信制御手段は、前記放送信号よりも前に送信される他の放送信号とともに、前記他の放送信号に関連するコンテンツへのアクセス情報を含む他の第１の付加情報と、前記第２の付加情報とを送信させ、前記放送信号とともに前記放送信号に関連するコンテンツへのアクセス情報を含む前記第１の付加情報を送信させる
ことを特徴とする請求項１に記載の情報処理システム。
【請求項５】
前記第１の付加情報は、前記放送信号に関連するコンテンツの識別情報を含む
ことを特徴とする請求項１に記載の情報処理システム。
【請求項６】
受信装置と情報処理装置とを有する情報処理システムであって、
前記情報処理装置は、
放送信号、前記放送信号に関連するコンテンツの識別情報と前記放送信号に関連するコンテンツを復号するための復号キーへのアクセス情報を含む第１の付加情報、前記放送信号に関連する画像データを少なくとも含む第２の付加情報、および前記放送信号に関連するコンテンツを暗号化したものである第３の付加情報を送信する送信手段と、
前記放送信号の送信と同時に前記第１の付加情報の送信を開始させ、前記放送信号の送信よりも前に、前記第２の付加情報の送信を開始させ、前記放送信号の送信開始より後に前記第３の付加情報を送信させる送信制御手段と
を備え、
前記受信装置は、
前記送信手段から、前記放送信号、前記第１の付加情報、前記第２の付加情報、および前記第３の付加情報を受信する受信手段と、
前記放送信号を出力手段が出力しているときに、前記放送信号よりも前に受信された前記第２の付加情報に含まれる画像データを表示手段に表示させる表示制御手段と、
前記受信手段が受信した前記第１の付加情報に含まれる前記復号キーへのアクセス情報に基づいて前記復号キーを取得し、取得した前記復号キーに基づいて、前記受信手段が受信した前記第３の付加情報を復号する復号手段と
を備えることを特徴とする情報処理システム。
【請求項７】
前記第３の付加情報の送信は、前記放送信号の送信が開始された後、その送信が終了される前に開始される
ことを特徴とする請求項６に記載の情報処理システム。
【請求項８】
前記第３の付加情報の送信は、前記放送信号の送信終了時に開始される
ことを特徴とする請求項６に記載の情報処理システム。
【請求項９】
前記第３の付加情報の送信は、前記放送信号の送信が終了し、所定時間だけ経過した後に開始される
ことを特徴とする請求項６に記載の情報処理システム。
【請求項１０】
前記放送信号の送信を開始した後、前記第３の付加情報の送信を開始するまでの時間は可変となっている
ことを特徴とする請求項６に記載の情報処理システム。
【請求項１１】
前記放送信号として、所定のコンピュータプログラムが実行されることにより得られる画像データまたは音声データが送信される場合において、
前記第３の付加情報は、そのコンピュータプログラムを暗号化したものである
ことを特徴とする請求項６に記載の情報処理システム。
【請求項１２】
受信装置と情報処理装置とを有する情報処理システムの情報処理方法であって、
前記情報処理装置は、
放送信号、前記放送信号に関連するコンテンツへのアクセス情報を含む第１の付加情報、および前記放送信号に関連する画像データを少なくとも含む第２の付加情報を、前記放送信号の送信と同時または前記放送信号の送信よりも後に、前記第１の付加情報の送信が開始され、前記放送信号の送信よりも前に、前記第２の付加情報の送信が開始されるように送信し、
前記受信装置は、
前記情報処理装置から、前記放送信号、前記第１の付加情報、および前記第２の付加情報を受信し、
前記第１の付加情報に含まれる前記アクセス情報に基づいて、前記放送信号に関連するコンテンツを取得し、
前記放送信号を出力手段が出力しているときに、前記放送信号よりも前に受信された前記第２の付加情報に含まれる画像データを表示手段に表示させる
ことを特徴とする情報処理方法。
【請求項１３】
受信装置へ放送信号を送信する情報処理装置であって、
前記放送信号、前記放送信号に関連するコンテンツへのアクセス情報を含む第１の付加情報、および前記放送信号に関連する画像データを少なくとも含む第２の付加情報を送信する送信手段と、
前記放送信号の送信と同時または前記放送信号の送信よりも後に、前記第１の付加情報の送信を開始させ、前記放送信号を前記受信装置が出力しているときに、前記放送信号より前に受信された前記第２の付加情報に含まれる画像データが前記受信装置の表示手段に表示されるように、前記放送信号の送信よりも前に、前記第２の付加情報の送信を開始させる送信制御手段と
を備え、
前記受信装置は、前記アクセス情報に基づいて、前記放送信号に関連するコンテンツを取得する
ことを特徴とする情報処理装置。
【請求項１４】
前記送信制御手段は、前記放送信号の送信開始より少なくとも前記第２の付加情報の送信に要する時間前に、前記第２の付加情報の送信を開始させる
ことを特徴とする請求項１３に記載の情報処理装置。
【請求項１５】
前記送信制御手段は、前記放送信号よりも前に送信される他の放送信号とともに前記第２の付加情報を送信させる
ことを特徴とする請求項１３に記載の情報処理装置。
【請求項１６】
前記送信制御手段は、前記放送信号よりも前に送信される他の放送信号とともに、前記他の放送信号に関連するコンテンツへのアクセス情報を含む他の第１の付加情報と、前記第２の付加情報とを送信させ、前記放送信号とともに前記放送信号に関連するコンテンツへのアクセス情報を含む前記第１の付加情報を送信させる
ことを特徴とする請求項１３に記載の情報処理装置。
【請求項１７】
前記第１の付加情報は、前記放送信号に関連するコンテンツの識別情報を少なくとも含み、
前記受信装置は、前記コンテンツの識別情報に基づいて、前記放送信号に関連するコンテンツを取得する
ことを特徴とする請求項１３に記載の情報処理装置。
【請求項１８】
前記第１の付加情報は、前記放送信号に関連するコンテンツの識別情報を含む
ことを特徴とする請求項１３に記載の情報処理装置。
【請求項１９】
前記第１の付加情報は、前記放送信号に関連するコンテンツの内容に関する情報を含む
ことを特徴とする請求項１３に記載の情報処理装置。
【請求項２０】
受信装置へ放送信号を送信する情報処理装置であって、
前記放送信号、前記放送信号に関連するコンテンツの内容に関する情報と前記放送信号に関連するコンテンツを復号するための復号キーへのアクセス情報を含む第１の付加情報、前記放送信号に関連する画像データを少なくとも含む第２の付加情報、および前記放送信号に関連するコンテンツを暗号化したものである第３の付加情報を送信する送信手段と、
前記放送信号の送信と同時に前記第１の付加情報の送信を開始させ、前記放送信号を前記受信装置が出力しているときに、前記放送信号より前に受信された前記第２の付加情報に含まれる画像データが前記受信装置の表示手段に表示されるように、前記放送信号の送信よりも前に、前記第２の付加情報の送信を開始させ、前記放送信号の送信開始より後に前記第３の付加情報を送信させる送信制御手段と
を備え、
前記受信装置は、前記送信手段から、前記放送信号、前記第１の付加情報、前記第２の付加情報、および前記第３の付加情報を受信し、受信した前記第１の付加情報に含まれる前記復号キーへのアクセス情報に基づいて前記復号キーを取得し、取得した前記復号キーに基づいて、受信した前記第３の付加情報を復号する
ことを特徴とする情報処理装置。
【請求項２１】
前記第３の付加情報の送信は、前記放送信号の送信が開始された後、その送信が終了される前に開始される
ことを特徴とする請求項２０に記載の情報処理装置。
【請求項２２】
前記第３の付加情報の送信は、前記放送信号の送信終了時に開始される
ことを特徴とする請求項２０に記載の情報処理装置。
【請求項２３】
前記第３の付加情報の送信は、前記放送信号の送信が終了し、所定時間だけ経過した後に開始される
ことを特徴とする請求項２０に記載の情報処理装置。
【請求項２４】
前記放送信号の送信を開始した後、前記第３の付加情報の送信を開始するまでの時間は可変となっている
ことを特徴とする請求項２０に記載の情報処理装置。
【請求項２５】
前記放送信号として、所定のコンピュータプログラムが実行されることにより得られる画像データまたは音声データが送信される場合において、
前記第３の付加情報は、そのコンピュータプログラムを暗号化したものである
ことを特徴とする請求項２０に記載の情報処理装置。
【請求項２６】
受信装置へ放送信号を送信する情報処理装置の情報処理方法であって、
前記放送信号、前記放送信号に関連するコンテンツへのアクセス情報を含む第１の付加情報、および前記放送信号に関連する画像データを少なくとも含む第２の付加情報を送信する送信ステップと、
前記放送信号の送信と同時または前記放送信号の送信よりも後に、前記第１の付加情報の送信を開始させ、前記放送信号を前記受信装置が出力しているときに、前記放送信号より前に受信された前記第２の付加情報に含まれる画像データが前記受信装置の表示手段に表示されるように、前記放送信号の送信よりも前に、前記第２の付加情報の送信を開始させる送信制御ステップと
を含み、
前記受信装置は、前記アクセス情報に基づいて、前記放送信号に関連するコンテンツを取得する
ことを特徴とする情報処理方法。
【請求項２７】
情報処理装置からの放送信号を受信する受信装置であって、
前記情報処理装置から、前記放送信号、前記放送信号に関連するコンテンツへのアクセス情報を含む情報であって前記放送信号の送信と同時または前記放送信号の送信よりも後に送信が開始される第１の付加情報、および前記放送信号に関連する画像データを少なくとも含む情報であって前記放送信号の送信よりも前に送信が開始される第２の付加情報を受信し、前記第１の付加情報に含まれる前記アクセス情報に基づいて、前記放送信号に関連するコンテンツを取得する受信手段と、
前記放送信号を出力手段が出力しているときに、前記放送信号よりも前に受信された前記第２の付加情報に含まれる画像データを表示手段に表示させる表示制御手段と
を備えることを特徴とする受信装置。
【請求項２８】
前記情報処理装置は、前記放送信号の送信開始より少なくとも前記第２の付加情報の送信に要する時間前に、前記第２の付加情報の送信を開始させる
ことを特徴とする請求項２７に記載の受信装置。
【請求項２９】
前記情報処理装置は、前記放送信号よりも前に送信される他の放送信号とともに前記第２の付加情報を送信させる
ことを特徴とする請求項２７に記載の受信装置。
【請求項３０】
前記情報処理装置は、前記放送信号よりも前に送信される他の放送信号とともに、前記他の放送信号に関連するコンテンツへのアクセス情報を含む他の第１の付加情報と、前記第２の付加情報とを送信させ、前記放送信号とともに前記放送信号に関連するコンテンツへのアクセス情報を含む前記第１の付加情報を送信させる
ことを特徴とする請求項２７に記載の受信装置。
【請求項３１】
前記第１の付加情報は、前記放送信号に関連するコンテンツの識別情報を含む
ことを特徴とする請求項２７に記載の受信装置。
【請求項３２】
前記第１の付加情報は、前記放送信号に関連するコンテンツの内容に関する情報を含む
ことを特徴とする請求項２７に記載の受信装置。
【請求項３３】
情報処理装置からの放送信号を受信する受信装置であって、
前記情報処理装置から、前記放送信号、前記放送信号に関連するコンテンツの内容に関する情報と前記放送信号に関連するコンテンツを復号するための復号キーへのアクセス情報を含む情報であって前記放送信号の送信と同時に送信が開始される第１の付加情報、前記放送信号に関連する画像データを少なくとも含む情報であって前記放送信号の送信よりも前に送信が開始される第２の付加情報、および前記放送信号の送信開始より後に送信されてくる、前記放送信号に関連するコンテンツを暗号化したものである第３の付加情報を受信する受信手段と、
前記放送信号を出力手段が出力しているときに、前記放送信号よりも前に受信された前記第２の付加情報に含まれる画像データを表示手段に表示させる表示制御手段と、
前記受信手段が受信した前記第１の付加情報に含まれる前記復号キーへのアクセス情報に基づいて前記復号キーを取得し、取得した前記復号キーに基づいて、前記受信手段が受信した前記第３の付加情報を復号する復号手段と
を備えることを特徴とする受信装置。
【請求項３４】
前記第３の付加情報の送信は、前記放送信号の送信が開始された後、その送信が終了される前に開始される
ことを特徴とする請求項３３に記載の受信装置。
【請求項３５】
前記第３の付加情報の送信は、前記放送信号の送信終了時に開始される
ことを特徴とする請求項３３に記載の受信装置。
【請求項３６】
前記第３の付加情報の送信は、前記放送信号の送信が終了し、所定時間だけ経過した後に開始される
ことを特徴とする請求項３３に記載の受信装置。
【請求項３７】
前記放送信号の送信を開始した後、前記第３の付加情報の送信を開始するまでの時間は可変となっている
ことを特徴とする請求項３３に記載の受信装置。
【請求項３８】
前記放送信号として、所定のコンピュータプログラムが実行されることにより得られる画像データまたは音声データが送信される場合において、
前記第３の付加情報は、そのコンピュータプログラムを暗号化したものである
ことを特徴とする請求項３３に記載の受信装置。
【請求項３９】
情報処理装置からの放送信号を受信する受信装置の受信方法であって、
前記情報処理装置から、前記放送信号、前記放送信号に関連するコンテンツへのアクセス情報を含む情報であって前記放送信号の送信と同時または前記放送信号の送信よりも後に送信が開始される第１の付加情報、および前記放送信号に関連する画像データを少なくとも含む情報であって前記放送信号の送信よりも前に送信が開始される第２の付加情報を受信し、前記第１の付加情報に含まれる前記アクセス情報に基づいて、前記放送信号に関連するコンテンツを取得する受信ステップと、
前記放送信号を出力手段が出力しているときに、前記放送信号よりも前に受信された前記第２の付加情報に含まれる画像データを表示手段に表示させる表示制御ステップと
を含むことを特徴とする受信方法。
【発明の詳細な説明】
【０００１】
【発明の属する技術分野】
本発明は、情報処理システム、情報処理装置および情報処理方法、並びに受信装置および受信方法に関する。特に、例えば、受信側において、放送信号の送信開始時に、即座に付加情報を出力することができるようにする情報処理システム、情報処理装置および情報処理方法、並びに受信装置および受信方法に関する。
【０００２】
【従来の技術】
例えば、ラジオ放送などにおいて放送された番組は、ラジオ受信機によって受信することができる。
ラジオ放送においては、番組が歌番組であれば、その番組としての曲が、放送信号として放送（送信）される。ここで、放送信号には、アナウンサ（ディスクジョッキ）の音声や、効果音、ジングル等も含まれることがあり、従って、曲自体（例えば、販売用のＣＤ（Compact Disc）等に記録された、その曲以外の音が含まれていないもの（以下、適宜、正式曲データという））は、放送信号に関連するということができるので、関連データということができる。
ユーザは、ラジオ放送において放送された曲（その曲以外の、例えば、アナウンサの音声等の雑音が含まれるもの（以下、適宜、放送用曲データという））を、ラジオ受信機によって聴き、その曲を気に入って欲しくなるときがある。この場合、その曲（正式曲データ）が記録されたＣＤを、販売店に購入しに行く方法があるが、面倒である。
従って、ラジオ放送やテレビジョン放送などで放送された番組としての曲などの音声データ、あるいは映画などの画像データを、容易に入手したいという要望がある。
【０００３】
【発明が解決しようとする課題】
ところで、本放送とデータ放送とから構成されるディジタルラジオ放送において、ジャケット写真などの画像データを送信する場合、その画像データは、一般に、データ量が多く、曲＃ｋの本放送の開始とともに、データ放送で送信したのでは、曲＃ｋの本放送が開始してから、ある程度の時間（ジャケット写真などの画像データの送信に要する時間）が経過するまでは、放送の受信側において、そのジャケット写真を表示することができない。従って、ユーザは、曲＃ｋの本放送が開始された後、その曲＃ｋについてのジャケット写真を見ることができるようになるまで、ある程度の時間待たされることになる。
【０００５】
本発明は、このような状況に鑑みてなされたものであり、例えば、受信側において、放送信号の送信開始時に、即座に付加情報を出力することができるようにするものである。
【０００６】
【課題を解決するための手段】
本発明の第１の情報処理システムにおいては、情報処理装置が、放送信号、放送信号に関連するコンテンツへのアクセス情報を含む第１の付加情報、および放送信号に関連する画像データを少なくとも含む第２の付加情報を送信する送信手段と、放送信号の送信と同時または放送信号の送信よりも後に、第１の付加情報の送信を開始させ、放送信号の送信よりも前に、第２の付加情報の送信を開始させる送信制御手段とを備え、受信装置が、送信手段から、放送信号、第１の付加情報、および第２の付加情報を受信し、第１の付加情報に含まれるアクセス情報に基づいて、放送信号に関連するコンテンツを取得する受信手段と、放送信号を出力手段が出力しているときに、放送信号よりも前に受信された第２の付加情報に含まれる画像データを表示手段に表示させる表示制御手段とを備えることを特徴とする。
本発明の第２の情報処理システムにおいては、情報処理装置が、放送信号、放送信号に関連するコンテンツの識別情報と放送信号に関連するコンテンツを復号するための復号キーへのアクセス情報を含む第１の付加情報、放送信号に関連する画像データを少なくとも含む第２の付加情報、および放送信号に関連するコンテンツを暗号化したものである第３の付加情報を送信する送信手段と、放送信号の送信と同時に第１の付加情報の送信を開始させ、放送信号の送信よりも前に、第２の付加情報の送信を開始させ、放送信号の送信開始より後に第３の付加情報を送信させる送信制御手段とを備え、受信装置が、送信手段から、放送信号、第１の付加情報、第２の付加情報、および第３の付加情報を受信する受信手段と、放送信号を出力手段が出力しているときに、放送信号よりも前に受信された第２の付加情報に含まれる画像データを表示手段に表示させる表示制御手段と、受信手段が受信した第１の付加情報に含まれる復号キーへのアクセス情報に基づいて復号キーを取得し、取得した復号キーに基づいて、受信手段が受信した第３の付加情報を復号する復号手段とを備えることを特徴とする。
【０００７】
本発明の第１の情報処理方法は、情報処理装置が、放送信号、放送信号に関連するコンテンツへのアクセス情報を含む第１の付加情報、および放送信号に関連する画像データを少なくとも含む第２の付加情報を、放送信号の送信と同時または放送信号の送信よりも後に、第１の付加情報の送信が開始され、放送信号の送信よりも前に、第２の付加情報の送信が開始されるように送信し、受信装置が、情報処理装置から、放送信号、第１の付加情報、および第２の付加情報を受信し、第１の付加情報に含まれるアクセス情報に基づいて、放送信号に関連するコンテンツを取得し、放送信号を出力手段が出力しているときに、放送信号よりも前に受信された第２の付加情報に含まれる画像データを表示手段に表示させることを特徴とする。
【０００８】
本発明の第１の情報処理装置は、放送信号、放送信号に関連するコンテンツへのアクセス情報を含む第１の付加情報、および放送信号に関連する画像データを少なくとも含む第２の付加情報を送信する送信手段と、放送信号の送信と同時または放送信号の送信よりも後に、第１の付加情報の送信を開始させ、放送信号を受信装置が出力しているときに、放送信号より前に受信された第２の付加情報に含まれる画像データが受信装置の表示手段に表示されるように、放送信号の送信よりも前に、第２の付加情報の送信を開始させる送信制御手段とを備え、受信装置は、アクセス情報に基づいて、放送信号に関連するコンテンツを取得することを特徴とする。
本発明の第２の情報処理装置は、放送信号、放送信号に関連するコンテンツの内容に関する情報と放送信号に関連するコンテンツを復号するための復号キーへのアクセス情報を含む第１の付加情報、放送信号に関連する画像データを少なくとも含む第２の付加情報、および放送信号に関連するコンテンツを暗号化したものである第３の付加情報を送信する送信手段と、放送信号の送信と同時に第１の付加情報の送信を開始させ、放送信号を受信装置が出力しているときに、放送信号より前に受信された第２の付加情報に含まれる画像データが受信装置の表示手段に表示されるように、放送信号の送信よりも前に、第２の付加情報の送信を開始させ、放送信号の送信開始より後に第３の付加情報を送信させる送信制御手段とを備え、受信装置は、送信手段から、放送信号、第１の付加情報、第２の付加情報、および第３の付加情報を受信し、受信した第１の付加情報に含まれる復号キーへのアクセス情報に基づいて復号キーを取得し、取得した復号キーに基づいて、受信した第３の付加情報を復号することを特徴とする。
【０００９】
本発明の第２の情報処理方法は、放送信号、放送信号に関連するコンテンツへのアクセス情報を含む第１の付加情報、および放送信号に関連する画像データを少なくとも含む第２の付加情報を送信する送信ステップと、放送信号の送信と同時または放送信号の送信よりも後に、第１の付加情報の送信を開始させ、放送信号を受信装置が出力しているときに、放送信号より前に受信された第２の付加情報に含まれる画像データが受信装置の表示手段に表示されるように、放送信号の送信よりも前に、第２の付加情報の送信を開始させる送信制御ステップとを含み、受信装置は、アクセス情報に基づいて、放送信号に関連するコンテンツを取得することを特徴とする。
【００１０】
本発明の第１の受信装置は、情報処理装置から、放送信号、放送信号に関連するコンテンツへのアクセス情報を含む情報であって放送信号の送信と同時または放送信号の送信よりも後に送信が開始される第１の付加情報、および放送信号に関連する画像データを少なくとも含む情報であって放送信号の送信よりも前に送信が開始される第２の付加情報を受信し、第１の付加情報に含まれるアクセス情報に基づいて、放送信号に関連するコンテンツを取得する受信手段と、放送信号を出力手段が出力しているときに、放送信号よりも前に受信された第２の付加情報に含まれる画像データを表示手段に表示させる表示制御手段とを備えることを特徴とする。
本発明の第２の受信装置は、情報処理装置から、放送信号、放送信号に関連するコンテンツの内容に関する情報と放送信号に関連するコンテンツを復号するための復号キーへのアクセス情報を含む情報であって放送信号の送信と同時に送信が開始される第１の付加情報、放送信号に関連する画像データを少なくとも含む情報であって放送信号の送信よりも前に送信が開始される第２の付加情報、および放送信号の送信開始より後に送信されてくる、放送信号に関連するコンテンツを暗号化したものである第３の付加情報を受信する受信手段と、放送信号を出力手段が出力しているときに、放送信号よりも前に受信された第２の付加情報に含まれる画像データを表示手段に表示させる表示制御手段と、受信手段が受信した第１の付加情報に含まれる復号キーへのアクセス情報に基づいて復号キーを取得し、取得した復号キーに基づいて、受信手段が受信した第３の付加情報を復号する復号手段とを備えることを特徴とする。
【００１１】
本発明の受信方法は、情報処理装置から、放送信号、放送信号に関連するコンテンツへのアクセス情報を含む情報であって放送信号の送信と同時または放送信号の送信よりも後に送信が開始される第１の付加情報、および放送信号に関連する画像データを少なくとも含む情報であって放送信号の送信よりも前に送信が開始される第２の付加情報を受信し、第１の付加情報に含まれるアクセス情報に基づいて、放送信号に関連するコンテンツを取得する受信ステップと、放送信号を出力手段が出力しているときに、放送信号よりも前に受信された第２の付加情報に含まれる画像データを表示手段に表示させる表示制御ステップとを含むことを特徴とする。
【００１２】
本発明の第１の情報処理システムにおいては、送信手段は、放送信号、放送信号に関連するコンテンツへのアクセス情報を含む第１の付加情報、および放送信号に関連する画像データを少なくとも含む第２の付加情報を送信し、送信制御手段は、放送信号の送信と同時または放送信号の送信よりも後に、第１の付加情報の送信を開始させ、放送信号の送信よりも前に、第２の付加情報の送信を開始させるようになされている。受信手段は、送信手段から、放送信号、第１の付加情報、および第２の付加情報を受信し、第１の付加情報に含まれるアクセス情報に基づいて、放送信号に関連するコンテンツを取得し、表示制御手段は、放送信号を出力手段が出力しているときに、放送信号よりも前に受信された第２の付加情報に含まれる画像データを表示手段に表示させるようになされている。
本発明の第２の情報処理システムにおいては、送信手段は、放送信号、放送信号に関連するコンテンツの識別情報と放送信号に関連するコンテンツを復号するための復号キーへのアクセス情報を含む第１の付加情報、放送信号に関連する画像データを少なくとも含む第２の付加情報、および放送信号に関連するコンテンツを暗号化したものである第３の付加情報を送信し、送信制御手段は、放送信号の送信と同時に第１の付加情報の送信を開始させ、放送信号の送信よりも前に、第２の付加情報の送信を開始させ、放送信号の送信開始より後に第３の付加情報を送信させるようになされている。受信手段は、送信手段から、放送信号、第１の付加情報、第２の付加情報、および第３の付加情報を受信し、表示制御手段は、放送信号を出力手段が出力しているときに、放送信号よりも前に受信された第２の付加情報に含まれる画像データを表示手段に表示させ、復号手段は、受信手段が受信した第１の付加情報に含まれる復号キーへのアクセス情報に基づいて復号キーを取得し、取得した復号キーに基づいて、受信手段が受信した第３の付加情報を復号するようになされている。
【００１３】
本発明の第１の情報処理方法においては、放送信号、放送信号に関連するコンテンツへのアクセス情報を含む第１の付加情報、および放送信号に関連する画像データを少なくとも含む第２の付加情報を送信する場合において、放送信号の送信と同時または放送信号の送信よりも後に、第１の付加情報の送信を開始させ、放送信号の送信よりも前に、第２の付加情報の送信を開始させる一方、放送信号、第１の付加情報、および第２の付加情報を受信し、第１の付加情報に含まれるアクセス情報に基づいて、放送信号に関連するコンテンツを取得し、放送信号を出力手段が出力しているときに、放送信号よりも前に受信された第２の付加情報に含まれる画像データを表示手段に表示させるようになされている。
【００１４】
本発明の第１の情報処理装置においては、送信手段は、放送信号、放送信号に関連するコンテンツへのアクセス情報を含む第１の付加情報、および放送信号に関連する画像データを少なくとも含む第２の付加情報を送信し、送信制御手段は、放送信号の送信と同時または放送信号の送信よりも後に、第１の付加情報の送信を開始させ、放送信号を受信装置が出力しているときに、放送信号より前に受信された第２の付加情報に含まれる画像データが受信装置の表示手段に表示されるように、放送信号の送信よりも前に、第２の付加情報の送信を開始させ、受信装置は、アクセス情報に基づいて、放送信号に関連するコンテンツを取得するようになされている。
本発明の第２の情報処理装置においては、送信手段は、放送信号、放送信号に関連するコンテンツの内容に関する情報と放送信号に関連するコンテンツを復号するための復号キーへのアクセス情報を含む第１の付加情報、放送信号に関連する画像データを少なくとも含む第２の付加情報、および放送信号に関連するコンテンツを暗号化したものである第３の付加情報を送信し、送信制御手段は、放送信号の送信と同時に第１の付加情報の送信を開始させ、放送信号を受信装置が出力しているときに、放送信号より前に受信された第２の付加情報に含まれる画像データが受信装置の表示手段に表示されるように、放送信号の送信よりも前に、第２の付加情報の送信を開始させ、放送信号の送信開始より後に第３の付加情報を送信させ、受信装置は、送信手段から、放送信号、第１の付加情報、第２の付加情報、および第３の付加情報を受信し、受信した第１の付加情報に含まれる復号キーへのアクセス情報に基づいて復号キーを取得し、取得した復号キーに基づいて、受信した第３の付加情報を復号するようになされている。
【００１５】
本発明の第２の情報処理方法においては、放送信号、放送信号に関連するコンテンツへのアクセス情報を含む第１の付加情報、および放送信号に関連する画像データを少なくとも含む第２の付加情報を送信する場合において、放送信号の送信と同時または放送信号の送信よりも後に、第１の付加情報の送信を開始させ、放送信号を受信装置が出力しているときに、放送信号より前に受信された第２の付加情報に含まれる画像データが受信装置の表示手段に表示されるように、放送信号の送信よりも前に、第２の付加情報の送信を開始させ、受信装置は、アクセス情報に基づいて、放送信号に関連するコンテンツを取得するようになされている。
【００１６】
本発明の第１の受信装置においては、受信手段は、情報処理装置から、放送信号、放送信号に関連するコンテンツへのアクセス情報を含む情報であって放送信号の送信と同時または放送信号の送信よりも後に送信が開始される第１の付加情報、および放送信号に関連する画像データを少なくとも含む情報であって放送信号の送信よりも前に送信が開始される第２の付加情報を受信し、第１の付加情報に含まれるアクセス情報に基づいて、放送信号に関連するコンテンツを取得し、表示制御手段は、放送信号を出力手段が出力しているときに、放送信号よりも前に受信された第２の付加情報に含まれる画像データを表示手段に表示させるようになされている。
本発明の第２の受信装置においては、受信手段は、情報処理装置から、放送信号、放送信号に関連するコンテンツの内容に関する情報と放送信号に関連するコンテンツを復号するための復号キーへのアクセス情報を含む情報であって放送信号の送信と同時に送信が開始される第１の付加情報、放送信号に関連する画像データを少なくとも含む情報であって放送信号の送信よりも前に送信が開始される第２の付加情報、および放送信号の送信開始より後に送信されてくる、放送信号に関連するコンテンツを暗号化したものである第３の付加情報を受信し、表示制御手段は、放送信号を出力手段が出力しているときに、放送信号よりも前に受信された第２の付加情報に含まれる画像データを表示手段に表示させ、復号手段は、受信手段が受信した第１の付加情報に含まれる復号キーへのアクセス情報に基づいて復号キーを取得し、取得した復号キーに基づいて、受信手段が受信した第３の付加情報を復号するようになされている。
【００１７】
本発明の受信方法においては、情報処理装置から、放送信号、放送信号に関連するコンテンツへのアクセス情報を含む情報であって放送信号の送信と同時または放送信号の送信よりも後に送信が開始される第１の付加情報、および放送信号に関連する画像データを少なくとも含む情報であって放送信号の送信よりも前に送信が開始される第２の付加情報を受信し、第１の付加情報に含まれるアクセス情報に基づいて、放送信号に関連するコンテンツを取得し、放送信号を出力手段が出力しているときに、放送信号よりも前に受信された第２の付加情報に含まれる画像データを表示手段に表示させるようになされている。
【００１８】
【発明の実施の形態】
以下に、本発明の実施の形態を説明するが、その前に、特許請求の範囲に記載の発明の各手段と以下の実施の形態との対応関係を明らかにするために、各手段の後の括弧内に、対応する実施の形態（但し、一例）を付加して、本発明の特徴を記述すると、次のようになる。
【００３７】
なお、勿論この記載は、各手段を上記したものに限定することを意味するものではない。
【００３８】
図１は、本発明を適用したブックマークラジオ（ＢＭＲ（Book Mark Radio））システム（システムとは、複数の装置が論理的に集合した物をいい、各構成の装置が同一筐体中にあるか否かは問わない）の一実施の形態の構成例を示している。
【００３９】
送信装置１は、例えば、ディジタルラジオ放送の放送局として機能し、伝送媒体２としての、例えば、地上波を介して、ディジタルラジオ放送を行うようになされている。
【００４０】
送信装置１が行うディジタルラジオ放送は、本放送とデータ放送とから構成されており、本放送によるデータ（以下、適宜、本放送データという）には、一般の番組として放送される曲のデータ（放送用曲データ）や、スポンサの広告（いわゆるコマーシャル）のデータなどが含まれている。また、データ放送によるデータ（以下、適宜、データ放送データという）には、後述するサンプル音声やジャケット写真のデータ、テキストデータ、ＥＭＤ（Electric Music Distribution）リンク、圧縮暗号化データ、静止画クーポンのデータなどが含まれている。これらの本放送データおよびデータ放送データは、ユーザ端末３で受信される。
【００４１】
ユーザ端末３は、例えば、携帯型または据え置き型のラジオ受信機や、車載用のラジオ受信機（いわゆるカーオーディオ機器）などで構成され、送信装置１からの本放送データが受信されて、音声で出力される。また、ユーザ端末３では、データ放送データが受信され、必要に応じて、音声で出力、あるいは表示される。
【００４２】
即ち、データ放送データには、本放送データで放送されている曲の、例えば、始まりの部分や、いわゆるさびの部分などの、ユーザに対してサンプルとして提供されるサンプル音声が含まれている。また、データ放送データには、本放送データで放送されている曲が記録された、例えば、ＣＤなどのジャケット写真や、その曲を歌っている歌手の写真（アーティスト写真）、さらには、その曲のタイトル、歌手名、レコード会社（制作会社）の会社名としてのテキストデータが含まれている。
【００４３】
さらに、データ放送データには、放送用曲データに対応する正式曲データを圧縮し、暗号化した圧縮暗号化データも含まれている。
【００４４】
ユーザ端末３では、そのようなデータ放送データが受信され、ユーザの操作に応じて、ジャケット写真、曲のタイトル、歌手名などが表示され、あるいはサンプル音声などが出力される。
【００４５】
ユーザは、本放送による放送用曲データを聴き、興味をもったとき、いわゆるブックマークを付けるように（本にしおりをはさむように）、ユーザ端末３を操作する。さらに、その放送用曲データを聴いている最中や、それを聞き終わった後、サンプル音声などを聴いて、その曲の正式曲データを欲するとき、圧縮暗号化データを復号するための復号キーを要求するように、ユーザ端末３を操作する。ユーザ端末３は、その要求に応じて、正式曲データを管理、配信しているＥＭＤサービス業者のＥＭＤサーバ５に対して、復号キーを要求する。
【００４６】
即ち、データ放送データに含まれるＥＭＤリンクは、正式曲データを提供している提供場所にアクセスするのに用いられるアクセス情報としての、例えば、ＥＭＤサーバ５のＩＰ（Internet Protocol）アドレスやＵＲＬ（Uniform Resource Locator）などを含んでいる。ユーザ端末３は、このＥＭＤリンクに基づき、インターネット４を介して、ＥＭＤサーバ５にアクセスし、圧縮暗号化データを復号するための復号キーを要求する。
【００４７】
ＥＭＤサーバ５は、ユーザ端末３から、復号キーの要求を受信すると、必要な課金処理を行い、復号キーを、インターネット４を介して、ユーザ端末３に送信する。ユーザ端末３は、ＥＭＤサーバ５からの復号キーを受信し、その復号キーを用いて、圧縮暗号化データを、正式曲データ（が圧縮されたもの）に復号する。これにより、ユーザは、正式曲データを入手することができる。
【００４８】
一方、ＥＭＤサーバ５は、上述したように、正式曲データを管理しており、ユーザ端末３に対して、復号キーを提供する他、放送局（送信装置１）に対して、本放送データとして送信される曲のデータや、その圧縮暗号化データを提供する。また、ＥＭＤサーバ５は、復号キー（最終的には、正式曲データ）の提供の対価の徴収のための課金処理を行う。この課金処理により、後日、ユーザの銀行口座や、クレジット会社から、正式曲データの購入の代金の引き落としが行われる。また、課金は、プリペイドカードなどを利用して行われる場合もある。
【００４９】
なお、データ放送用データには、伝送媒体２の伝送容量の関係から、上述したすべてのデータを含めることができないこともあり、この場合、圧縮暗号化データは、データ放送用データに含めないようにすることができる。データ放送用データに圧縮暗号化データを含めない場合には、ユーザ端末３には、復号キーとともに、その復号キーによって復号される圧縮暗号化データを、ＥＭＤサーバ５に要求させるようにし、ＥＭＤサーバ５には、復号キーおよび圧縮暗号化データを、ユーザ端末３に送信させるようにすることができる。
【００５０】
また、データ放送用データには、いわゆるクーポン券として扱われる静止画クーポンのデータを含めることができる。この静止画クーポンは、例えば、ユーザ端末３から、復号キーを要求するときに、その要求とともに、ＥＭＤサーバ５に送信することができる。そして、ＥＭＤサーバ５において、復号キーの要求とともに、静止画クーポンを受信した場合には、課金処理の際に、代金の割引が行われる。
【００５１】
さらに、上述の場合には、ＥＭＤサーバ５に課金処理を行わせるようにしたが、課金処理は、図１において点線で示すように、課金処理を行う専用の課金サーバ６を設け、その課金サーバ６に行わせるようにすることが可能である。
【００５２】
また、データ放送用データに圧縮暗号化データを含めない場合には（含めている場合であっても構わない）、例えば、レコード店や、ビデオショップ、コンビニエンスストア、駅の売店などの販売店その他の場所に、圧縮暗号化データおよび復号キーの転送を行う転送装置を設置しておくようにすることが可能である。この場合、ユーザは、転送装置が設置している場所まで行けば、代金と引き替えに、圧縮暗号化データおよび復号キーを入手することができる。
【００５３】
さらに、ＥＭＤリンクには、本放送で放送された曲が記録されたＣＤ等を販売している販売店（例えば、その販売店の店名、さらには支店名など）を記述しておくようにすることができる。この場合、ユーザ端末３において、ＥＭＤリンクを表示（出力）するようにすることで、ユーザは、欲する曲が記録されたＣＤを販売している販売店を認識し、そのＣＤを購入しに行く（販売店にアクセスする）ことができる。
【００５４】
次に、図２は、図１の送信装置１による本放送データおよびデータ放送データの伝送フォーマットを示している。ここで、日本では、約４００ｋｂｐｓ（kilo bit per second）を１セグメントとし、音声圧縮方式として、ＭＰＥＧ（Moving Picture Experts Group）  ＡＡＣ（Advanced Audio Coding）を用いて、ディジタルラジオ放送が行われる予定であり、図２は、そのようなディジタルラジオ放送を採用した場合の伝送フォーマットを示している。
【００５５】
図２では、本放送データは、ＭＰＥＧ  ＡＡＣで、１２８ｋｂｐｓ乃至１４４ｋｂｐｓ程度のステレオ信号に圧縮されて送信されている。また、データ放送データのうち、圧縮暗号化データは、正式曲データをＡＴＲＡＣ（Adaptive Transform Acoustic Coding）２で圧縮し、その後、所定の方式で暗号化したものとされており、その伝送レートは、２５０ｋｂｐｓ程度とされている。
【００５６】
次に、図３は、本放送データおよびデータ放送データのデータフォーマットを示している。
【００５７】
本放送データおよびデータ放送データは、所定のフレーム単位で、各フレームは、時間同期をとって送信されるようになされている。
【００５８】
ここで、以下、適宜、本放送データまたはデータ放送データのフレームを、それぞれ音楽フレームまたはデータフレームという。
【００５９】
いま、ある曲の送信開始から、その送信終了までを、１の番組とすると、１の番組の本放送データは、ヘッダの後に、必要な数の音楽フレームが配置され、最後に、ＥＯＦ（End Of File）が配置されて構成される。また、その番組のデータ放送データは、本放送データを構成する音楽フレームと同一数のデータフレームが配置され、最後に、ＥＯＦが配置されて構成される。そして、音楽フレームと、それに対応するデータフレームとは、同期をとって同時に送信される。
【００６０】
データフレームは、その先頭から、データフレームの検出に用いられるシンク（同期信号）、各フレームに、例えばシーケンシャルに付されるフレームナンバ、１の番組放送内に、周期的に送信されるデータが配置される１フレームサイクリックブックマーク部（以下、適宜、ブックマーク部という）、基本的に複数のデータフレームが集まって完結するデータが配置される複数フレーム完結部（以下、適宜、完結部という）、誤り訂正または検出のためのＥＣＣ（Error Correcting Code）（Error Checking Code）が順次配置されて構成されている。
【００６１】
ブックマーク部には、本放送で放送されている曲の正式曲データを入手するために必要な情報（入手情報）が配置される。即ち、ブックマーク部には、本放送で放送されている曲の正式曲データに固有に付されたユニークな固有情報としての、例えば、６０ビットのＩＳＲＣ（International Standard Recording Code）などが配置される。また、ブックマーク部には、本放送で放送されている曲の正式曲データの内容を認識するのに役立つ認識情報としての、例えば、その曲の曲名（タイトル）や歌っている歌手の歌手名（アーティスト名）、その歌手が所属するレコード会社（制作会社）の会社名（レコード会社名）なども配置される。さらに、ブックマーク部には、本放送で放送されている曲の正式曲データを提供している提供場所（図１に示したＥＭＤサーバ５や、正式曲データが記録されたＣＤを販売している販売店など）にアクセスするのに用いられるアクセス情報としてのＥＭＤリンク（EMD Link）も配置される。
【００６２】
１の番組を構成する各データフレームのブックマーク部には、同一の情報が配置されるようになされており、従って、ブックマーク部に配置される情報は、本放送の番組が極端に短い時間で終了しない限り、複数回、周期的に送信される。
【００６３】
完結部には、例えば、次のような音声データ、画像データ、テキストデータ、その他のデータが配置される。
【００６４】
即ち、音声データとしては、例えば、上述した正式曲データを圧縮して暗号化した圧縮暗号化データや、サンプル音声が配置される。さらに、音声データとしては、後述するように、ジングルデータや、アナウンサの音声、高音質化のための差分データ、オーバラップデータなどが配置される場合もある。
【００６５】
画像データとしては、例えば、正式曲データが記録されたＣＤなどのジャケット写真や、その曲を歌っている歌手の写真（アーティスト写真）、静止画クーポンのデータなどが配置される。
【００６６】
テキストデータとしては、例えば、正式曲データの内容を認識するのに役立つ、その曲のタイトルや歌手名、レコード会社名、さらには、その歌手のエピソード、最新情報などが配置される。従って、本実施の形態では、多少冗長ではあるが、曲のタイトルや、歌手名などは、ブックマーク部と完結部との両方に配置される場合がある。
【００６７】
その他のデータとしては、宣伝のためのセールスプロモーションに関するデータや広告のためのデータなどが配置される。
【００６８】
ここで、ブックマーク部または完結部に配置されるデータを、以下、適宜、それぞれブックマークデータまたはデータ放送用コンテンツという。
【００６９】
なお、図３では、データ放送のためのチャンネルを１チャンネルとしてあるが、データ放送のためのチャンネルを２チャンネルとし、そのうちの１のチャンネルでブックマーク部に配置されるデータを、他の１のチャンネルで完結部に配置されるデータ放送用コンテンツを、それぞれ同時に送信するようにすることも可能である。
【００７０】
次に、図４は、図１の放送局を構成する送信装置１の構成例を示している。
【００７１】
マイク１１には、アナウンサの音声（ＤＪ（ディスクジョッキ）音声）が入力されるようになされており、そのＤＪ音声は、電気信号としての音声信号に変換され、信号処理部１３に供給される。また、信号処理部１３には、ストレージ１２に記憶されたデータも供給される。
【００７２】
即ち、ストレージ１２には、ＥＭＤサーバ５から、本放送に用いる曲のデータ（正式曲データである場合もある）や、データ放送に用いる圧縮暗号化データ、ジャケット写真などが供給されて記憶されるようになされており、信号処理部１３には、それらのデータが、必要に応じて供給されるようになされている。
【００７３】
さらに、信号処理部１３には、本放送で放送される広告や宣伝の音声（いわゆるコマーシャル）（広告音声）なども供給されるようになされている。
【００７４】
信号処理部１３では、そこに供給されるデータが信号処理され、これにより、本放送データが配置された音楽フレームとデータ放送データが配置されたデータフレームとが生成される。この本放送データの音楽フレームまたはデータ放送データのデータフレームは、ＥＣＣ回路１４または１５にそれぞれ供給され、ＥＣＣが付加されて、ＭＵＸ（マルチプレクサ）１６に供給される。
【００７５】
ＭＵＸ１６では、本放送データとデータ放送データとが多重化され、その結果得られる多重化データが、ディジタル変調回路１７に供給される。ディジタル変調回路１７では、ＭＵＸ１６からの多重化データに対して、例えば、ＱＰＳＫ（Quadrature Phase Shift Keying）やＱＡＭ（Quadrature Amplitude Modulation）などのディジタル変調処理が施され、その結果得られる変調信号が、送信機１８に供給される。送信機１８では、ディジタル変調回路１７からの変調信号に対して、増幅その他の必要な処理が施され、アンテナ１９から電波として送信される。
【００７６】
次に、図５は、図１のユーザ端末３の構成例を示している。
【００７７】
上述したようにして、送信装置１から送信されてくる電波は、アンテナ２１で受信され、その受信信号は、ディジタルラジオチューナ２２に供給される。ディジタルラジオチューナ２２は、アンテナ２１からの受信信号を受信し、受信制御部２２Ａの制御にしたがって、所定のチャンネルの受信信号を検波して、ディジタル復調回路２３に供給する。ディジタル復調回路２３は、ディジタルラジオチューナ２２の出力をディジタル復調し、その結果得られる多重化データを、ＤＭＵＸ（デマルチプレクサ）２４に出力する。
【００７８】
デマルチプレクサ２４は、ディジタル復調回路２３からの多重化データを、本放送データとデータ放送データとに分離する。本放送データまたはデータ放送データは、ＥＣＣ回路２５または２６にそれぞれ供給される。ＥＣＣ回路２５または２６それぞれは、本放送データまたはデータ放送データに対して、誤り検出または訂正処理を施し、信号処理部２７に供給する。
【００７９】
ここで、ＥＣＣ回路２６は、ＤＭＵＸ２４からのデータ放送データを、ＲＡＭ２６Ａに一時記憶させてから処理を行うようになされている。そして、ＲＡＭ２６Ａは、例えば、少なくとも、１つのデータフレーム（図３）のデータを記憶することができるだけの記憶容量を有しており、また、ＤＭＵＸ２４から新たなデータフレームを受信するごとに、最も古いデータフレームを消去する（最も古いデータフレームを、新たなデータフレームに更新する）ようになされている。
【００８０】
例えば、ユーザが、ユーザ端末３を携帯している場合や、また、ユーザ端末３が自動車に搭載されている場合には、トンネル内などで、送信装置１からの電波の受信が一時的に途切れることがある。このような場合であっても、ユーザ端末３において、データフレームのブックマーク部のデータを利用することができるように、ＲＡＭ２６Ａは、一時、データ放送データを記憶するようになされている。
【００８１】
なお、送信装置１からの電波の受信が一時的に途切れたかどうかは、例えば、データフレームのフレームナンバ（図３）が連続しているかどうかや、ＥＯＦを受信したかどうか、あるいは、電波のレベルなどに基づいて判定することができる。
【００８２】
信号処理部２７では、ＥＣＣ回路２５または２６それぞれからの本放送データまたはデータ放送データに、所定の信号処理が施される。そして、本放送データは、Ｄ／Ａ（Digital/Analog）変換器２８に供給され、Ｄ／Ａ変換された後、スピーカ２９に供給されて出力される。
【００８３】
また、データ放送データのうち、音声として出力可能なデータも、必要に応じて、本放送データと同様にして、スピーカ２９から出力される。さらに、データ放送データのうち、表示可能なデータは、必要に応じて、表示装置３０に供給されて表示される。
【００８４】
操作部３１は、所定の場合に、ユーザによって操作される。操作部３１の操作に対応した操作信号は、信号処理部２７に供給され、信号処理部２７は、この操作信号に対応して所定の処理を行う。即ち、例えば、操作部３１が、復号キーを要求するように操作された場合には、信号処理部２７は、モデム３２を制御することにより、インターネット４を介して、ＥＭＤサーバ５とのリンクを確立させ、復号キーを要求する。さらに、信号処理部２７は、その要求に応じて、ＥＭＤサーバ５から送信されてくる復号キーを、モデム３２を介して受信する。
【００８５】
次に、図６は、図１のＥＭＤサーバ５の構成例を示している。
【００８６】
データベース４１には、ＥＭＤサービス業者が管理する曲の正式曲データや、ＩＳＲＣ、ジャケット写真のデータ、アーティスト写真のデータ、正式曲データの圧縮暗号化データ、その復号のための復号キーなどが記憶されており、そのうちの、本放送およびデータ放送で用いられるものが、放送局の送信装置１に供給される。
【００８７】
一方、モデム４３は、インターネット４を介しての通信制御を行うようになされており、ユーザ端末３から、復号キーの要求が送信されてくると、それを受信し、制御部４２に供給する。制御部４２は、復号キーの要求を受信すると、課金処理部４４を制御することにより、課金処理を行わせる。さらに、制御部４２は、要求された復号キーを、データベース４１から読み出し、モデム４３に送信させる。なお、制御部４２は、復号キーの要求とともに、圧縮暗号化データの要求も受信した場合には、その圧縮暗号化データも、データベース４１から読み出し、モデム４３に送信させる。
【００８８】
次に、図７は、図４の送信装置１における信号処理部１３の構成例を示している。
【００８９】
アンプ５１には、マイク１１（図４）からのＤＪ音声が供給されるようになされており、アンプ５１は、その音声信号を増幅して、Ａ／Ｄ（Analog/Digital）変換器５２に供給するようになされている。Ａ／Ｄ変換器５２は、アンプ５１からのアナログの音声信号をＡ／Ｄ変換することにより、ディジタルの音声データとし、ミキサ５３に供給するようになされている。ミキサ５３には、ＤＪ音声の他、本放送データを構成する曲や、広告、ジングルなどのデータ（ここでは、ディジタルデータ）も供給されるようになされており、ミキサ５３は、それらの音声をミキシングすることにより、本放送データを構成し、データ圧縮部５４に供給するようになされている。データ圧縮部５４は、ミキサ５３の出力を、例えば、ＭＰＥＧ方式によって圧縮し、同期調整回路５５に供給するようになされている。
【００９０】
同期調整回路５５には、データ圧縮部５４から本放送データが供給される他、ブックマークデータと、ＭＵＸ５８の出力も供給されるようになされている。そして、同期調整回路５５は、ブックマークデータとＭＵＸ５８の出力とから、データ放送データを構成するようになされている。さらに、同期調整回路５５は、本放送データを配置した音楽フレームと、データ放送データを配置したデータフレームを構成し、それらの同期をとって出力するようになされている。
【００９１】
なお、同期調整回路５５は、メモリ５５Ａを有しており、メモリ５５Ａは、１の番組（曲）についてのブックマークデータを一時記憶するようになされている。同期調整回路５５は、ある番組のデータ放送データのデータフレームには、メモリ５５Ａに記憶された、その番組についてのブックマークデータを配置することで、その番組を構成する各データフレームのブックマーク部に、同一のブックマークデータを配置するようになされている。
【００９２】
データ圧縮部５６には、データ放送用コンテンツのうちの音声データ（例えば、上述したように、圧縮暗号化データやサンプル音声など）が供給されるようになされており、データ圧縮部５６は、そこに供給される音声データを、例えば、ＡＴＲＡＣ２方式などで圧縮し、ＭＵＸ５８に供給するようになされている。なお、音声データのうち、例えば、圧縮暗号化データは、既に、ＡＴＲＡＣ２方式などで圧縮されており、このように既に圧縮されている音声データは、データ圧縮部５６をスルーして、そのままＭＵＸ５８に供給されるようになされている。
【００９３】
データ圧縮部５７には、データ放送用コンテンツのうちの画像データ（例えば、ジャケット写真や、アーティスト写真、静止画クーポンのデータなど）が供給されるようになされており、データ圧縮部５７は、そこに供給される画像データを、例えば、ＪＰＥＧ（Joint Photographic Experts Group）方式などで圧縮し、ＭＵＸ５８に供給するようになされている。
【００９４】
ＭＵＸ５８には、データ圧縮部５６および５７の出力の他、データ放送用コンテンツのうちのテキストデータおよびその他のデータも供給されるようになされており、ＭＵＸ５８は、そこに供給されるデータ放送用コンテンツを多重化して、同期調整回路５５に供給するようになされている。なお、テキストデータやその他のデータについても、その圧縮を行ってから、ＭＵＸ５８に供給するようにすることが可能である。
【００９５】
次に、図８のフローチャートを参照して、図７の信号処理部１３の処理について説明する。
【００９６】
マイク１１からのＤＪ音声は、アンプ５１で増幅され、Ａ／Ｄ変換器５２においてディジタル信号とされ、ミキサ５３に供給される。ミキサ５３には、ＤＪ音声の他、本放送データを構成する曲や、広告、ジングルなどのデータも供給され、そこでミキシングが行われることにより、本放送データが構成され、データ圧縮部５４に供給される。データ圧縮部５４は、ミキサ５３からの本放送データを圧縮し、同期調整回路５５に供給する。
【００９７】
一方、データ圧縮５６または５７では、データ放送用コンテンツのうちの音声データまたは画像データがそれぞれ圧縮され、ＭＵＸ５８に供給される。ＭＵＸ５８には、データ圧縮部５６および５７の出力の他、データ放送用コンテンツのうちのテキストデータおよびその他のデータも供給され、そこでは、それらのデータが多重化され、同期調整回路５５に供給される。
【００９８】
同期調整回路５５には、本放送データ、およびＭＵＸ５８の出力の他、その本放送データの番組についてのブックマークデータも供給される。そして、同期調整回路５５は、ブックマークデータとＭＵＸ５８の出力とから、データ放送データを構成し、本放送データを構成する音楽フレームと、データ放送データを構成するデータフレームとの同期をとって出力する。
【００９９】
即ち、同期調整回路５５は、ある番組のブックマークデータを受信すると、図８のフローチャートに示すように、まず最初に、ステップＳ１において、そのブックマークデータを、メモリ５５Ａに記憶させ、ステップＳ２に進み、番組を構成する音楽フレームおよびデータフレームの数をカウントするための変数ｉに、初期値としての、例えば、１をセットして、ステップＳ３に進む。
【０１００】
ステップＳ３では、本放送データを用いて音楽フレーム＃ｉが構成されるとともに、メモリ５５Ａに記憶されたブックマークデータの後に、ＭＵＸ５８の出力データが所定量だけ配置されることによりデータフレーム＃ｉが構成され、ステップＳ４に進む。ステップＳ４では、音楽フレーム＃ｉとデータフレーム＃ｉとが、同期をとって同時に出力され、ステップＳ５に進む。
【０１０１】
ステップＳ５では、番組としての、本放送で放送される曲が終了したかどうかが判定され、まだ終了していないと判定された場合、ステップＳ６に進み、変数ｉが１だけインクリメントされる。そして、ステップＳ３に戻り、以下、同様の処理が繰り返される。
【０１０２】
また、ステップＳ５において、番組としての、本放送で放送される曲が終了したと判定された場合、本放送データおよびデータ放送データとして、ＥＯＦを出力し、次の番組についてのブックマークデータが供給されるのを待って、ステップＳ１に戻る。
【０１０３】
従って、本放送データとしての番組が極端に短い時間で終了するものであるような特殊な場合を除いて、その番組の本放送データの送信が行われている間、その番組についてのブックマークデータは、各データフレームに配置されることにより周期的に送信される。その結果、ユーザ端末３において、ある番組についてのブックマークデータの取りこぼしを極力少なくすることが可能となる。
【０１０４】
次に、図９は、図５のユーザ端末３における信号処理部２７の構成例を示している。
【０１０５】
ＥＣＣ回路２５（図５）からの本放送データは、データ伸張部６１に供給されるようになされており、データ伸張部６１は、その本放送データを伸張し、Ｄ／Ａ変換器２８（図５）に供給するようになされている。
【０１０６】
ＥＣＣ回路２６（図５）からのデータ放送データは、ＤＭＵＸ６２に供給されるようになされており、ＤＭＵＸ６２は、データ放送用データを、ブックマークデータと、データ放送用コンテンツとに分離するようになされている。さらに、ＤＭＵＸ６２は、データ放送用コンテンツを、表示可能なデータ（以下、適宜、表示データという）、サンプル音声、圧縮暗号化データなどに分離し、ブックマークデータとともに、セレクタ６３に供給するようになされている。
【０１０７】
セレクタ６３は、メモリ６３Ａを有しており、そのメモリ６３Ａに、ＤＭＵＸ６３の出力を一時記憶するようになされている。さらに、セレクタ６３は、操作部３１（図５）の操作にしたがって、メモリ６３Ａに記憶されたデータのうちのいずれかを選択し、データ伸張部７０を介して表示装置３０（図５）に供給したり、ストレージ６４に供給したりするようになされている。なお、表示装置３０には、基本的に、表示データ（例えば、曲のタイトル（曲名）や、アーティスト名（歌手名）、ジャケット写真など）が、ストレージ６４には、基本的に、ブックマークデータやサンプル音声、圧縮暗号化データなどが、それぞれ供給されるようになされている。
【０１０８】
ストレージ６４は、セレクタ６３から供給されるブックマークデータやサンプル音声、圧縮暗号化データなどを記憶するようになされている。さらに、ストレージ６５は、ダウンロード処理部６５から供給される復号キーなども記憶するようになされている。ここで、ストレージ６４は、ユーザ端末３に内蔵させることも可能であるが、容易に着脱可能な、例えば、メモリカードなどで構成することも可能である。ストレージ６４をメモリカードなどとした場合には、図１で説明したように、そのメモリカードを、販売店に持っていって、圧縮暗号化データおよびその復号キーの提供を受けるようなときに、携帯に便利である。
【０１０９】
ダウンロード処理部６５は、操作部３１が、復号キーや圧縮暗号化データのダウンロードを要求するように操作されたときに、モデム３２（図５）を制御し、インターネット４を介して、ＥＭＤサーバ５に対し、そのダウンロードの要求を行うようになされている。個人情報記憶部６６は、復号キーや圧縮暗号化データのダウンロードの際に行われる課金処理に必要なユーザの個人情報としての、ユーザの氏名や住所、電話番号、クレジットカードの番号あるいは銀行口座の番号などを記憶している。この個人情報は、ダウンロード処理部６５が復号キーや圧縮暗号化データのダウンロードの要求を行うときに、その要求とともに送信されるようになされている。
【０１１０】
再生制御部６７は、ストレージ６４に記憶されたデータを再生し、復号器６８に供給するようになされている。復号器６８は、再生制御部６７から圧縮暗号化データと復号キーが供給されたとき、その復号キーを用いて、圧縮暗号化データを復号し、その結果得られる、圧縮された正式曲データを、データ伸張部６９に供給するようになされている。また、復号器６８は、再生制御部６７からサンプル音声が供給されたとき、そのサンプル音声を、そのままデータ伸張部６９に供給するようになされている。
【０１１１】
データ伸張部６９は、復号器６８から供給される正式曲データやサンプル音声が圧縮されているとき、その圧縮された正式曲データやサンプル音声を伸張して、Ｄ／Ａ変換器２８（図５）に供給するようになされている。データ伸張部７０は、セレクタ６３から供給される表示データが圧縮されているとき、その圧縮された表示データを伸張して、表示装置３０に供給するようになされている。なお、データ伸張部６９および７０は、そこに供給されるデータが圧縮されていないときは、そのデータをそのまま出力するようになされている。
【０１１２】
次に、図１０のフローチャートを参照して、図９の信号処理部２７の処理について説明する。
【０１１３】
ＥＣＣ回路２５からの本放送データは、データ伸張部６１に供給され、データ伸張部６１は、その本放送データを伸張し、Ｄ／Ａ変換器２８を介して、スピーカ２９に供給する。これにより、本放送は、スピーカ２９から出力される。
【０１１４】
一方、ＥＣＣ回路２６からのデータ放送データは、ＤＭＵＸ６２に供給され、そこで、ブックマークデータと、データ放送用コンテンツとに分離される。さらに、ＤＭＵＸ６２では、データ放送用コンテンツが、表示データ、サンプル音声、圧縮暗号化データなどに分離され、ブックマークデータとともに、セレクタ６３に供給される。
【０１１５】
セレクタ６３は、ＤＭＵＸ６３からのデータを、メモリ６３Ａに一時記憶し、以後、その記憶内容を、ＤＭＵＸ６３から新たに供給されるデータに、順次更新していく。即ち、メモリ６３Ａでは、ブックマークデータについては、例えば、データフレームごとに更新され、データ放送用コンテンツについては、例えば、本放送による１曲の放送が終了するごとに更新されていく。
【０１１６】
そして、図１０のフローチャートに示すように、まず最初に、ステップＳ１１において、操作部３１が表示データを出力するように操作されたか否かが判定され、そのように操作されたと判定された場合、ステップＳ１２に進み、セレクタ６３は、メモリ６３Ａに記憶された表示データを読み出し、データ伸張部７０を介して表示装置３０に供給して、ステップＳ１１に戻る。これにより、表示装置３０では、例えば、いま本放送で放送されている曲についてのジャケット写真や、アーティスト写真、タイトル、歌手名などが表示される。
【０１１７】
また、ステップＳ１１において、操作部３１が表示データを出力するように操作されていないと判定された場合、ステップＳ１３に進み、操作部３１がブックマーク操作されたか否かが判定される。ステップＳ１３において、操作部３１がブックマーク操作されたと判定された場合、即ち、本放送で放送されている曲に興味があり（興味がわき）、ユーザが、その曲に、いわばマークを付けるような操作をした場合、ステップＳ１４に進み、セレクタ６３は、メモリ６３Ａに記憶されたブックマークデータ、サンプル音声、圧縮暗号化データなどを読み出し、ストレージ６４に供給して記憶させ、ステップＳ１１に戻る。即ち、これにより、ストレージ６４には、操作部３１がブックマーク操作されたときに本放送で放送されていた曲についてのブックマークデータ、サンプル音声、圧縮暗号化データなどが記憶（記録）される。
【０１１８】
ここで、上述したように、メモリ６３Ａでは、データ放送用コンテンツについては、本放送による１曲の放送が終了するごとに更新されていくため、ある曲のサンプル音声や圧縮暗号化データなどは、その曲の本放送が行われている間に、操作部３１がブックマーク操作された場合には、ストレージ６４に保持されるが、ブックマーク操作されなかった場合には、ユーザ端末３から消去される。
【０１１９】
一方、ステップＳ１３において、操作部３１がブックマーク操作されていないと判定された場合、ステップＳ１５に進み、操作部３１がサンプル音声を出力するように操作されたか否かが判定される。ステップＳ１５において、操作部３１がサンプル音声を出力するように操作されたと判定された場合、ステップＳ１６に進み、再生制御部６７は、ストレージ６４から、そこに記憶されたサンプル音声を読み出し、復号器６８、データ伸張部６９、およびＤ／Ａ変換器２８を介して、スピーカ２９に供給し、ステップＳ１１に戻る。これにより、スピーカ２９からは、サンプル音声が出力される。
【０１２０】
ここで、操作部３１がブックマーク操作されることにより、ある曲についての圧縮暗号化データがストレージ６４に記憶された場合であっても、ユーザが、その曲が、どのような曲であったか忘れてしまうことがある。そこで、そのような場合に、上述したようにして、サンプル音声を再生して聴くことで、どのような曲であったかを思い出すことができる。
【０１２１】
一方、ステップ１５において、操作部３１がサンプル音声を出力するように操作されていないと判定された場合、ステップＳ１７に進み、操作部３１が復号キーのダウンロードを要求するダウンロード操作されたか否かが判定される。ステップＳ１７において、操作部３１がダウンロード操作されたと判定された場合、ステップＳ１８に進み、ダウンロード処理部６５は、復号キーのダウンロード処理を行う。
【０１２２】
即ち、例えば、いま、ＥＭＤサーバ５において、ある正式曲データの圧縮暗号化データの復号キーのファイルが、その正式曲データのＩＳＲＣをファイル名として管理されており、ブックマークデータのうちのＥＭＤリンクが、その正式曲データを管理しているＥＭＤサーバ５のホスト名を表しているとすると、ダウンロード処理部６５は、ストレージ６４に記憶されているブックマークデータのうちのＥＭＤリンクをホスト名とするとともに、そのうちのＩＳＲＣをファイル名としてＵＲＬを構成する。さらに、ダウンロード処理部６５は、そのＵＲＬに基づいて、モデム３２を制御することにより、ＥＭＤサーバ５との通信リンクを確立させ、個人情報記憶部６６から個人情報を読み出し、復号キーの要求とともに、ＥＭＤサーバ５に送信する。
【０１２３】
ＥＭＤサーバ５は、復号キーの要求と個人情報とを受信すると、その個人情報に基づいて、課金処理を行い、要求された復号キーを、ユーザ端末３に送信する。ユーザ端末３では、このようにしてＥＭＤサーバ５から送信されてくる復号キーが、モデム３２を介して、ダウンロード処理部６５で受信される。
【０１２４】
ダウンロード処理部６５は、復号キーを受信すると、ステップＳ１９に進み、その復号キーを、ストレージ６４に供給して記憶させ、ステップＳ１１に戻る。
【０１２５】
なお、操作部３１がダウンロード操作された場合に、ストレージ６４にブックマークデータが記憶されていないときには、ユーザ端末３では、ステップＳ１８およびＳ１９の処理が行われる替わりに、例えば、その旨が、スピーカ２９から出力され、あるいは表示装置３０に表示されるようになされている。
【０１２６】
一方、ステップＳ１７において、操作部３１がダウンロード操作されていないと判定された場合、ステップＳ２０に進み、操作部３１が曲を再生するように操作（以下、適宜、再生操作という）されたか否かが判定される。ステップＳ２０において、操作部３１が再生操作されたと判定された場合、ステップＳ２１に進み、再生制御部６７において、曲の再生が開始され、ステップＳ１１に戻る。
【０１２７】
即ち、再生制御部６７は、ストレージ６４から、そこに記憶された圧縮暗号化データと復号キーを読み出し、復号器６８に供給する。復号器６８は、再生制御部６７からの復号キーを用いて、同じく再生制御部６７からの圧縮暗号化データを復号し、その復号データを、データ伸張部６９に供給する。データ伸張部６９では、復号器６８からの復号データが、正式曲データに伸張され、Ｄ／Ａ変換器２８を介して、スピーカ２９に供給される。これにより、スピーカ２９からは、例えば、ＣＤを再生した場合と同様の曲が出力される。
【０１２８】
なお、復号器６８において復号されたデータや、データ伸張部６９において伸張されたデータは、図示せぬ出力端子から出力し、同じく図示せぬ記録装置で記録するようにすることが可能である。
【０１２９】
一方、ステップＳ２０において、操作部３１が再生操作されていないと判定された場合、ステップＳ１１に戻る。
【０１３０】
なお、操作部３１が再生操作された場合に、ストレージ６４に圧縮暗号化データや復号キーが記憶されていないときには、ユーザ端末３では、ステップＳ２１の処理が行われる替わりに、例えば、その旨が、スピーカ２９から出力され、あるいは表示装置３０に表示されるようになされている。
【０１３１】
また、操作部３１が再生操作された場合に、ストレージ６４に圧縮暗号化データおよび復号キーが複数セット記憶されているときには（操作部３１がサンプル音声を出力するように操作された場合に、ストレージ６４に複数のサンプル音声が記憶されているときも同様）、例えば、その複数の圧縮暗号化データに対応する曲のタイトルや歌手名などの一覧が、表示装置３０において表示され、これにより、いずれの圧縮暗号化データを再生するかを、ユーザが選択することができるようになされている。なお、圧縮暗号化データに対応する曲のタイトル等は、ストレージ６４に記憶されているブックマークデータを参照することで認識することができる。
【０１３２】
以上のように、送信装置１では、本放送で放送された曲の圧縮暗号化データを復号するための復号キーを入手するために必要なブックマークデータを配置して、データ放送用データが構成され、本放送データの送信を行っている間に、その本放送データで放送されている曲の圧縮暗号化データを復号するための復号キーを入手するために必要なブックマークデータが配置されたデータ放送データが複数回送信される。一方、ユーザ端末３では、本放送データおよびデータ放送データが受信され、操作部３１がブックマーク操作された場合に、そのとき受信されたデータ放送データに含まれているブックマークデータが、ストレージ６４に記憶される。
【０１３３】
従って、ユーザは、所望の曲についての正式曲データを、容易に入手することができる。
【０１３４】
なお、上述の場合においては、データ放送において、圧縮暗号化データを放送し、ＥＭＤサーバ５には、その復号に用いる復号キーを要求するようにしたが、データ放送では、圧縮暗号化データを放送せず（但し、放送してもかまわない）、ＥＭＤサーバ５に対して、圧縮暗号化データとその復号のための復号キーとのセットを要求するようにすることも可能である。あるいは、また、ＥＭＤサー５に対しては、暗号化されていない正式曲データを要求するようにすることも可能である。
【０１３５】
次に、上述の場合においては、正式曲データを、本放送データとは別に、データ放送や、ＥＭＤサーバ５によって提供するようにしたが、正式曲データの提供は、本放送データを利用して行うことが可能である。
【０１３６】
即ち、上述の場合における、データ放送で放送される圧縮暗号化データは正式曲データを圧縮して暗号化したものであり、その正式曲データは、本放送で放送される。但し、正式曲データ（第１の信号）が、例えば、図１１（Ａ）に示すようなものであるとすると、本放送では、例えば、その開始部分や終わりの部分に、図１１（Ｂ）に示すようなＤＪ音声や、ナレーション、ジングル、効果音、広告音声などの、正式曲データからすれば、いわば雑音（第２の信号）が重畳された、図１１（Ｃ）に示すような本放送データが放送されることが多い。従って、本放送データのうち、図１１（Ｂ）と同一の図１１（Ｄ）に示すような、正式曲データにとって雑音となるＤＪ音声やジングルなどを、いわば正式曲データの生成用データとして、データ放送データに含めておけば、その生成用データと本放送データとを用いて、正式曲データを得る（生成する）ことができる。
【０１３７】
この場合、送信装置１（図４）の信号処理部１３は、例えば、図１２に示すように構成される。なお、図中、図７における場合と対応する部分については、同一の符号を付してあり、以下では、その説明は、適宜省略する。即ち、図１２の信号処理部１３は、ミキサ１５１、データ圧縮部１５３、および暗号化部１５３が新たに設けられている他は、基本的に、図７における場合と同様に構成されている。
【０１３８】
ミキサ１５１には、本放送データに含められる正式曲データ以外の、正式曲データにとって雑音となるシングルや広告音声、Ａ／Ｄ変換器５２が出力するＤＪ音声などが、生成用データとして入力される。ミキサ１５１では、そこに供給される生成用データがミキシングされ、データ圧縮部１５２に供給される。データ圧縮部１５２では、生成用データが圧縮され、暗号化部１５３に供給される。暗号化部１５３では、データ圧縮部１５２が出力する生成用データが暗号化され、ＭＵＸ５８に供給される。
【０１３９】
そして、図１２の信号処理部１３では、データ放送データ（のデータ放送用コンテンツ）に、圧縮暗号化データに替えて、暗号化部１５３が出力する生成用データが配置されることを除けば、図７で説明した場合と同様にして、本放送データおよびデータ放送データが構成されて出力される。
【０１４０】
次に、図１３は、データ放送データに生成用データが含まれる場合における、ユーザ端末３（図５）の信号処理部２７の構成例を示している。なお、図中、図９における場合と同様に構成される部分については、同一の符号を付してあり、以下では、その説明は、適宜省略する。即ち、図１３の信号処理部２７は、メモリ１６１および演算器１６２が設けられている他は、基本的に、図９における場合と同様に構成されている。
【０１４１】
メモリ１６１は、データ伸張部６１が出力する本放送データを一時記憶するようになされている。なお、メモリ１６１は、その記憶容量がなくなると、例えば、最も古い本放送データに上書きする形で、最新の本放送データを記憶するようになされている。但し、メモリ１６１において、本放送データの記憶および消去は、１曲（番組）単位で行われるようになされている。
【０１４２】
一方、ＤＭＵＸ６２では、そこに供給されるデータ放送データが、ブックマークデータと、データ放送用コンテンツとに分離される。さらに、ＤＭＵＸ６２では、データ放送用コンテンツが、表示データ、サンプル音声、生成用データなどに分離され、ブックマークデータとともに、セレクタ６３に供給される。
【０１４３】
セレクタ６３は、ＤＭＵＸ６３からのデータを、メモリ６３Ａに一時記憶し、以後、その記憶内容を、ＤＭＵＸ６３から新たに供給されるデータに、順次更新していく。
【０１４４】
そして、操作部３１がブックマーク操作されると、セレクタ６３は、上述したように、メモリ６３Ａに記憶されたブックマークデータおよびサンプル音声を読み出して、ストレージ６４に供給して記憶させる。また、セレクタ６３は、圧縮暗号化データの替わりにデータ放送用コンテンツに含められた生成用データも、メモリ６３Ａから読み出し、やはり、ストレージ６４に供給して記憶させる。さらに、セレクタ６３は、操作部３１がブックマーク操作されたときに、メモリ１６１への記憶を行っていた本放送データを、その曲が終了するのを待って（１曲分の本放送データがメモリ１６１に記憶されるのを待って）読み出し、ストレージ６４に供給して記憶させる。
【０１４５】
その後、操作部３１がダウンロード操作されると、ダウンロード処理部６５は、図９における場合と同様に、ストレージ６４に記憶されたブックマークデータの中のＥＭＤリンクに基づき、ＥＭＤサーバ５にアクセスし、ストレージ６４に記憶された生成用データを復号するための復号キーを要求する。ＥＭＤサーバ５は、この要求に応じて、復号キーを送信し、その復号キーは、ダウンロード処理部６５で受信され、ストレージ６４に記憶される。なお、ここでは、図１２の暗号化部１５３で暗号化されたデータを復号するための復号キーが、ＥＭＤサーバ５に記憶されているものとする。
【０１４６】
そして、操作部３１が再生操作されると、再生制御部６７は、ストレージ６４から、そこに記憶された生成用データと復号キーを読み出し、復号器６８に供給する。復号器６８は、再生制御部６７からの復号キーを用いて、同じく再生制御部６７からの生成用データを復号し、その復号データを、データ伸張部６９に供給する。データ伸張部６９では、復号器６８からの復号データが、生成用データに伸張され、演算器１６２に供給される。
【０１４７】
また、再生制御部６７は、ストレージ６４から、そこに記憶された本放送データも読み出し、演算器１６２に供給する。演算器１６２は、再生制御部６７から供給された、図１１（Ｃ）に示したような本放送データから、データ伸張部６９から供給された、図１１（Ｄ）に示したような生成用データが減算されることにより、図１１（Ａ）に示したような正式曲データが生成される。この正式曲データは、Ｄ／Ａ変換器２８を介して、スピーカ２９に供給され、これにより、スピーカ２９からは、例えば、ＣＤを再生した場合と同様の曲が出力される。
【０１４８】
次に、本放送では、例えば、図１４（Ａ）に示すような正式曲データ＃１が放送された後、続けて、図１４（Ｂ）に示すような正式曲データ＃２が放送されることがあり、さらに、この場合、正式曲データ＃１の送信が終了しないうちに、正式曲データ＃２の送信が開始されることがある。この場合、正式曲データ＃１の終わりの部分と、正式曲データ＃２の始めの部分とがオーバラップした、図１４（Ｃ）に示すような本放送データが送信されるが、このような本放送データにおいては、正式曲データ＃１からすれば、正式曲データ＃２は雑音となり、逆に、正式曲データ＃２からすれば、正式曲データ＃１は雑音となる。従って、図１４（Ｄ）または図１４（Ｅ）にそれぞれ示すような、オーバラップしている正式曲データ＃１または＃２の部分（以下、適宜、オーバラップ部分という）を、生成用データとして、その正式曲データ＃１や＃２が含まれる本放送データとともに送信されるデータ放送データに含めておけば、その生成用データと本放送データとを用いて、正式曲データ＃１や＃２を得ることができる。
【０１４９】
なお、正式曲データ＃１は、図１４（Ｃ）の本放送データのオーバラップ部分を、図１４（Ｄ）の正式曲データ＃１のオーバラップ部分に置き換えることによっても、また、図１４（Ｃ）の本放送データのオーバラップ部分から、図１４（Ｅ）の正式曲データ＃２のオーバラップ部分を減算することによっても、生成することができる。正式曲データ＃２についても同様である。
【０１５０】
図１５は、本放送データに、図１４で説明したようなオーバラップ部分が存在する場合における、送信装置１（図４）の信号処理部１３の構成例を示している。なお、図中、図７における場合と対応する部分については、同一の符号を付してあり、以下では、その説明は、適宜省略する。即ち、図１５の信号処理部１３は、オーバラップ検出部２５１、データ圧縮部２５２、および暗号化部２５３が新たに設けられている他は、基本的に、図７における場合と同様に構成されている。
【０１５１】
図１５の実施の形態においては、時間的に先行して放送される正式曲データ＃１と、それに続いて、一部がオーバラップするように放送される正式曲データ＃２とがミキサ５３に入力され、ミキサ５３では、その他のＤＪ音声やジングルなどとミキシングされて出力される。なお、ここでは、説明を簡単にするために、正式曲データ＃１および＃２には、ＤＪ音声などは重畳されないものとする。
【０１５２】
さらに、正式曲データ＃１および＃２は、オーバラップ検出部２５１にも供給される。オーバラップ検出部２５１では、正式曲データ＃１と＃２とがオーバラップしている区間（以下、適宜、オーバラップ区間という）が検出され、そのオーバラップ区間における正式曲データ＃１および＃２、即ち、正式曲データ＃１のオーバラップ部分と、正式曲データ＃２のオーバラップ部分とが、生成用データとして、データ圧縮部２５２に供給される。データ圧縮部２５２では、生成用データとしての正式曲データ＃１のオーバラップ部分、または正式曲データ＃２のオーバラップ部分のうちのいずれか一方、または両方が圧縮され、暗号化部２５３に供給される。暗号化部２５３では、データ圧縮部２５２が出力する生成用データが暗号化され、ＭＵＸ５８に供給される。
【０１５３】
そして、図１５の信号処理部１３では、データ放送データ（のデータ放送用コンテンツ）に、圧縮暗号化データに替えて、暗号化部２５３が出力する生成用データが配置されることを除けば、図７で説明した場合と同様にして、本放送データおよびデータ放送データが構成されて出力される。
【０１５４】
以上のようなデータ放送データが送信されてくる場合における、ユーザ端末３（図５）の信号処理部２７は、例えば、図１３に示したものと同様に構成される。
【０１５５】
但し、正式曲データ＃１を生成する場合において、生成用データとして、正式曲データ＃１のオーバラップ部分が含まれているときには、演算器１６２では、本放送データのオーバラップ部分を、正式曲データ＃１のオーバラップ部分に置き換えることによって、正式曲データ＃１が生成される。また、生成用データとして、正式曲データ＃２のオーバラップ部分が含まれているときには、演算器１６２では、本放送データのオーバラップ部分から、正式曲データ＃２のオーバラップ部分を減算することによって、正式曲データ＃１が生成される。
【０１５６】
一方、正式曲データ＃２を生成する場合において、生成用データとして、正式曲データ＃２のオーバラップ部分が含まれているときには、演算器１６２では、本放送データのオーバラップ部分を、正式曲データ＃２のオーバラップ部分に置き換えることによって、正式曲データ＃２が生成される。また、生成用データとして、正式曲データ＃１のオーバラップ部分が含まれているときには、演算器１６２では、本放送データのオーバラップ部分から、正式曲データ＃１のオーバラップ部分を減算することによって、正式曲データ＃２が生成される。
【０１５７】
なお、生成用データとして、正式曲データ＃１および＃２のオーバラップ部分の両方が含まれている場合には、上述の置き換えおよび減算のいずれの手法によっても、正式曲データ＃１または＃２を生成することが可能となる。
【０１５８】
また、正式曲データ＃１と＃２とがオーバラップしないように放送される場合には、正式曲データ＃１および＃２のオーバラップ部分はいずれも０となる。この場合、本放送データを受信することで、正式曲データ＃１やと＃２を得ることが可能となる。
【０１５９】
さらに、図１５の実施の形態において、オーバラップ検出部２５１に検出させたオーバラップ区間（その長さそのものの他、オーバラップ区間の始点と終点などであっても良い）は、データ放送データに含めて送信するようにすることが可能である。
【０１６０】
また、オーバラップ区間は、正式曲データ＃２の入力を開始する時刻を調整することで可変とすることができる。
【０１６１】
次に、図１２や図１５の実施の形態において、本放送データのうち、正式曲データにＤＪ音声などが重畳されている部分や、オーバラップ部分は、正式曲データと異なるが、それ以外の部分は、正式曲データそのものであるから、本放送データにおいて、ＤＪ音声などが重畳されている部分や、オーバラップ部分が少ない場合には、ほとんど正式曲データと変わらない。従って、この場合、本放送を録音することで済ますユーザが増加し、ダウンロードの件数が減少することがあり、そのような状況は、ＥＭＤサービス業者からすれば好ましくない。
【０１６２】
そこで、送信装置１において、例えば、図１６（Ａ）に示すような正式曲データを放送しようとするときには、その正式曲データを、図１６（Ｂ）と図１６（Ｃ）に示すように、低周波数成分と高周波数成分、あるいは上位ビットと下位ビットに分け、低周波数成分または上位ビットを、本放送データとして送信するとともに、高周波数成分または下位ビットを、生成用データとして、データ放送データに含めて送信するようにすることができる。
【０１６３】
この場合、本放送では、正式曲データより音質の劣化した曲が放送されることになるが、ユーザは、生成用データとしての高周波数成分または下位ビットを利用して、正式曲データを生成することで、高音質な曲を聴くことが可能となる。
【０１６４】
図１７は、上述のように、正式曲データを、低周波数成分と高周波数成分、あるいは上位ビットと下位ビットとに分け、低周波数成分または上位ビットを、本放送データとして送信するとともに、高周波数成分または下位ビットを、生成用データとして、データ放送データに含めて送信する場合における、送信装置１（図４）の信号処理部１３の構成例を示している。なお、図中、図７における場合と対応する部分については、同一の符号を付してあり、以下では、その説明は、適宜省略する。即ち、図１７の信号処理部１３は、データ分割部３５１、データ圧縮部３５２、および暗号化部３５３が新たに設けられている他は、基本的に、図７における場合と同様に構成されている。
【０１６５】
本放送で放送される曲の正式曲データは、データ分割部３５１に供給され、データ分割部３５１は、正式曲データを、低周波数成分と高周波数成分、あるいは上位ビットと下位ビットとに分割する。
【０１６６】
即ち、データ分割部３５１は、例えば、正式曲データをサブバンド符号化し、幾つかの周波数成分に分ける。そして、その幾つかの周波数成分のうち、例えば、最も高帯域のものを高周波数成分とするとともに、残りを低周波数成分として、それぞれを出力する。あるいは、データ分割部３５１は、例えば、正式曲データを離散コサイン変換し、低次の係数を低周波数成分とするとともに、高次の係数を高周波数成分として、それぞれを出力する。また、データ分割部３５１は、正式曲データを、上位ビットと下位ビットに単純に分割して出力する。
【０１６７】
ここで、以下、適宜、データ分割部３５１で得られる低周波数成分または上位ビットを通常音質曲データと、高周波成分または下位ビットを高音質化データと、それぞれいう。
【０１６８】
データ分割部３５１が出力する通常音質曲データは、ミキサ５３に供給され、以下、上述した場合と同様にして、本放送データとして送信される。
【０１６９】
また、データ分割部３５１が出力する高音質化データは、生成用データとして、データ圧縮部３５２に供給される。データ圧縮部２５２では、生成用データとしての高音質化データが圧縮され、暗号化部３５３に供給される。暗号化部３５３では、データ圧縮部３５２が出力する生成用データが暗号化され、ＭＵＸ５８に供給される。
【０１７０】
そして、図１７の信号処理部１３では、データ放送データ（のデータ放送用コンテンツ）に、圧縮暗号化データに替えて、暗号化部３５３が出力する生成用データが配置されることを除けば、図７で説明した場合と同様にして、データ放送データが構成されて出力される。
【０１７１】
以上のようなデータ放送データが送信されてくる場合における、ユーザ端末３（図５）の信号処理部２７は、例えば、図１３に示したものと同様に構成される。
【０１７２】
図１３において、データ伸張部６１が出力する本放送データは通常音質曲データ、即ち、正式曲データの低周波数成分または上位ビットであるから、その音質は、正式曲データを再生した場合より劣化したものとなる。
【０１７３】
従って、より高音質の曲を希望するユーザは、図１３で説明した場合と同様にして、生成用データを復号するための復号キーを入手し、正式曲データを生成する必要がある。
【０１７４】
なお、この場合、図１３の演算器１６２では、本放送データと生成用データとを用いてのサブバンド復号や逆離散コサイン変換、上位ビットとしての本放送データと下位ビットとしての生成用データとの合成などが行われることにより、正式曲データが生成される。
【０１７５】
以上のように、本放送データを利用して、正式曲データを提供する場合には、データ放送において、正式曲データ全体を圧縮、暗号化した圧縮暗号化データよりも基本的にデータ量の少ない生成用データを圧縮、暗号化したものを送信すれば済むので、データ放送データに、さらに他のデータを含めることが可能となり、あるいは、データ放送データを、少ない伝送容量で伝送することが可能となる。
【０１７６】
なお、上述の場合には、生成用データをデータ放送データに含めて送信するようにしたが、生成用データは、データ放送用データに含めずに（あるいは、含めるとともに）、ＥＭＤサーバ５から、復号キーとともに提供するようにすることも可能である。
【０１７７】
次に、以上においては、本放送において、ある曲＃ｋを送信している間、データ放送において、その曲＃ｋを入手するための情報としてのブックマークデータをブックマーク部（図３）に配置して周期的に送信するとともに、その曲＃ｋのジャケット写真のデータや圧縮暗号化データを完結部（図３）に配置して送信するようにしたが、即ち、ある曲＃ｋについてのデータ放送データの送信は、本放送において、その曲＃ｋの送信とともに開始し、その送信の終了とともに終了するようにしたが、データ放送データのうち、曲＃ｋのブックマークデータの送信は、上述の場合と同様に、曲＃ｋの本放送が行われている間だけ行い、曲＃ｋジャケット写真のデータや圧縮暗号化データなどの送信は、曲＃ｋの本放送が行われている時間とは異なる時間に行うようにする（従って、送信を開始する時刻が異なる）ことができる。
【０１７８】
即ち、例えば、図１８に示すように、曲＃ｋのジャケット写真などのデータは、その曲＃ｋよりも時間的に前に本放送で放送される曲＃ｋ−１についてのデータ放送用データに含めて送信することができる。
【０１７９】
ジャケット写真などの画像データは、一般に、データ量が多く、曲＃ｋの本放送の開始とともに、データ放送で送信したのでは、曲＃ｋの本放送が開始してから、ある程度の時間（ジャケット写真などの画像データの送信に要する時間）が経過するまでは、ユーザ端末３において、そのジャケット写真を表示することができない。従って、ユーザは、曲＃ｋの本放送が開始された後、その曲＃ｋについてのジャケット写真を見ることができるようになるまで、ある程度の時間待たされることになる。
【０１８０】
これに対して、曲＃ｋのジャケット写真などのデータを、その曲＃ｋよりも時間的に前に本放送で放送される曲＃ｋ−１についてのデータ放送用データに含めて送信する場合には、ユーザ端末３において、曲＃ｋの本放送が開始される時点で、その曲＃ｋについてのジャケット写真のデータすべてが受信され、従って、ユーザは、曲＃ｋの本放送が開始された後、即座に、その曲＃ｋについてのジャケット写真を見ることが可能となる。
【０１８１】
また、例えば、図１８に示すように、曲＃ｋの圧縮暗号化データは、その曲＃ｋよりも時間的に後に本放送で放送される曲＃ｋ＋１についてのデータ放送用データに含めて送信することができる。
【０１８２】
図１０で説明したように、曲＃ｋの圧縮暗号化データのストレージ６４（図９）への記憶（記録）は、操作部３１（図５）がブックマーク操作されることにより開始される。従って、曲＃ｋの本放送が行われている間に、その曲＃ｋについての圧縮暗号化データをデータ放送で送信したのでは、ユーザが、本放送における曲＃ｋをある程度聴いてからブックマーク操作を行った場合に、既に、その曲＃ｋについての圧縮暗号化データの送信が開始されていることがある。
【０１８３】
これに対して、曲＃ｋの圧縮暗号化データを、その曲＃ｋよりも時間的に後に本放送で放送される曲＃ｋ＋１についてのデータ放送用データに含めて送信する場合には、曲＃ｋの本放送が終了してから、その曲＃ｋについての圧縮暗号化データの送信が開始されるから、ユーザが、本放送における曲＃ｋをある程度聴いてからブックマーク操作を行った場合に、曲＃ｋの本放送が終了し、その次の曲＃ｋについてのデータ放送が開始されるのを待って、曲＃ｋについての圧縮暗号化データの受信を行うことができるようになる。
【０１８４】
ここで、曲＃ｋの圧縮暗号化データを、その曲＃ｋよりも時間的に後に本放送で放送される曲＃ｋ＋１についてのデータ放送用データに含めて送信することは、ユーザ端末３の信号処理部２７（図９）を、例えば、メモリ６３Ａなどを設けずに構成する場合に、特に有効である。即ち、信号処理部２７にメモリ６３Ａが設けられていない場合には、曲＃ｋの本放送が行われている間に、その曲＃ｋについての圧縮暗号化データをデータ放送で送信してしまうと、ブックマーク操作が行われたときには、既に、その曲＃ｋについての圧縮暗号化データの送信が途中まで（あるいは最後まで）終了してしまっていることがあり、その結果、正常な圧縮暗号化データを得ることができなくなる。一方、曲＃ｋの圧縮暗号化データを、曲＃ｋ＋１についてのデータ放送用データに含めて送信する場合には、メモリ６３Ａが設けられていなくても、曲＃ｋ＋１の本放送の開始後に、曲＃ｋについての、正常な圧縮暗号化データを得ることができる。
【０１８５】
なお、上述の場合においては、図１８に示すように、曲＃ｋ−１の圧縮暗号化データや、曲＃ｋ＋１のジャケット写真などの画像データは、曲＃ｋについてのデータ放送データに含めて送信される。
【０１８６】
また、曲＃ｋのジャケット写真などのデータを、曲＃ｋ−１についてのデータ放送用データのいずれの位置に配置するかは、特に限定されるものではないが、図１８の実施の形態では、曲＃ｋ−１の本放送が終了するのと同時に、曲＃ｋのジャケット写真などのデータの送信も終了するように配置されている。
【０１８７】
さらに、曲＃ｋの圧縮暗号化データを、曲＃ｋ＋１についてのデータ放送用データのいずれの位置に配置するかも、特に限定されるものではないが、図１８の実施の形態では、曲＃ｋ＋１についてのデータ放送が開始されるのと同時に、曲＃ｋの圧縮暗号化データの送信も開始されるように配置されている。
【０１８８】
また、曲＃ｋのジャケット写真などのデータは、曲＃ｋ−１についてのデータ放送データではなく、それよりも時間的に先行して放送されるデータ放送用データに含めることが可能である。同様に、曲＃ｋの圧縮暗号化データは、曲＃ｋ＋１についてのデータ放送用データではなく、それよりも時間的に後行して放送されるデータ放送データに含めることが可能である。
【０１８９】
次に、図１９のフローチャートを参照して、図１８に示したように、データ放送データのうち、曲＃ｋのブックマークデータ（第１の付加情報）の送信は、曲＃ｋの本放送が行われている間だけ行い、曲＃ｋジャケット写真のデータや圧縮暗号化データなど（第２の付加情報）の送信は、曲＃ｋの本放送が行われている時間とは異なる時間に行う場合の、送信装置１（図４）の信号処理部１３（図７）における同期調整回路５５の処理について説明する。なお、ここでは、曲＃ｋが、現在の処理の対象となっている注目曲であるとして説明を行う。
【０１９０】
同期調整回路５５では、まず最初に、ステップＳ３１において、そこに供給される注目曲＃ｋのブックマークデータが、メモリ５５Ａに記憶される。そして、ステップＳ３２に進み、変数Ａに、注目曲＃ｋの前に放送された曲＃ｋ−１の圧縮暗号化データの送信に必要なデータフレーム数がセットされるとともに、変数Ｂに、注目曲＃ｋの次に放送される曲＃ｋ＋１のジャケット写真などの画像データ（これは、曲を紹介するためのものなので、以下、適宜、紹介データという）の送信に必要なデータフレーム数がセットされる。さらに、ステップＳ３２では、変数Ｎに、注目曲＃ｋを送信するのに必要な音楽フレーム数がセットされる。なお、ここでは、変数Ａ，Ｂ，Ｎについて、Ａ＜Ｎ−Ｂの関係があるものとする。
【０１９１】
その後、ステップＳ３３において、音楽フレームおよびデータフレームの数をカウントするための変数ｉに、初期値としての１がセットされ、ステップＳ３４に進み、音楽フレーム＃ｉが構成され、ステップＳ３５に進む。ステップＳ３５では、変数ｉが変数Ａ以下であるか否かが判定される。
【０１９２】
ステップＳ３５において、変数ｉが変数Ａ以下であると判定された場合、即ち、曲＃ｋについて送信されたデータフレームの数が、曲＃ｋ−１の圧縮暗号化データの送信に必要なデータフレーム数以下である場合、ステップＳ３６に進み、メモリ５５Ａに記憶されたブックマークデータに続けて、曲＃ｋ−１の圧縮暗号化データが配置され、これにより、データフレーム＃ｉが構成される。そして、同期調整回路５５では、このデータフレーム＃ｉとともに、ステップＳ３４で構成された音楽フレーム＃ｉが出力され、ステップＳ４０に進む。
【０１９３】
また、ステップＳ３５において、変数ｉが変数Ａ以下でないと判定された場合、即ち、曲＃ｋ−１の圧縮暗号化データの送信がすべて終了している場合、ステップＳ３７に進み、変数ｉがＮ−Ｂ以下であるか否かが判定される。
【０１９４】
ステップＳ３７において、変数ｉがＮ−Ｂ以下であると判定された場合、即ち、曲＃ｋについて送信される残りのデータフレームの数が、曲＃ｋ＋１の紹介データの送信に必要なデータフレーム数よりも多い場合、ステップＳ３８に進み、メモリ５５Ａに記憶されたブックマークデータに続けて、注目曲＃ｋのデータ放送用コンテンツ（但し、圧縮暗号化データおよび紹介データを除く）が配置され、これにより、データフレーム＃ｉが構成される。そして、同期調整回路５５では、このデータフレーム＃ｉとともに、ステップＳ３４で構成された音楽フレーム＃ｉが出力され、ステップＳ４０に進む。
【０１９５】
また、ステップ３７において、変数ｉがＮ−Ｂ以下でないと判定された場合、即ち、曲＃ｋについて送信される残りのデータフレームの数が、曲＃ｋ＋１の紹介データの送信に必要なデータフレーム数以下となっている場合、ステップＳ３９に進み、メモリ５５Ａに記憶されたブックマークデータに続けて、曲＃ｋ＋１の紹介データが配置され、これにより、データフレーム＃ｉが構成される。そして、同期調整回路５５では、このデータフレーム＃ｉとともに、ステップＳ３４で構成された音楽フレーム＃ｉが出力され、ステップＳ４０に進む。
【０１９６】
ステップＳ４０では、変数ｉが１だけインクリメントされ、ステップＳ４１に進み、変数ｉが変数Ｎより大きいか否かが判定される。ステップＳ４１において、変数ｉが変数Ｎより大きくないと判定された場合、即ち、まだ、注目曲＃ｋについての音楽フレームおよびデータフレームをすべて送信していない場合、ステップＳ３４に戻り、以下、同様の処理が繰り返される。
【０１９７】
また、ステップＳ４１において、変数ｉが変数Ｎより大きいと判定された場合、即ち、注目曲＃ｋについての音楽フレームおよびデータフレームをすべて送信し終えた場合、次の曲＃ｋ＋１のブックマークデータが供給されるのを待って、ステップＳ３１に戻り、その次の曲＃ｋ＋１を、新たな注目曲として、ステップＳ３１からの処理が繰り返される。
【０１９８】
なお、曲＃ｋのジャケット写真のデータなどは、曲＃ｋ−１と曲＃ｋについてのデータ放送データに亘って配置して送信することも可能である。同様に、曲＃ｋの圧縮暗号化データは、曲＃ｋと曲＃ｋ＋１についてのデータ放送データに亘って配置して送信することが可能である。即ち、曲＃ｋのジャケット写真のデータなどや、圧縮暗号化データの送信を開始する時刻は、任意に設定することが可能である。
【０１９９】
また、上述の場合には、曲＃ｋ＋１についてのデータ放送データに、曲＃ｋの暗号化データを配置するようにしたが、曲＃ｋ＋１についてのデータ放送データには、曲＃ｋについての生成用データを配置することも可能である。
【０２００】
以上、本発明を、ラジオ放送に適用した場合について説明したが、本発明は、その他、テレビジョン放送などに適用することも可能である。本発明をテレビジョン放送に適用した場合、そのテレビジョン放送で放送された映画などの画像データを提供する他（音声データを提供するサービスを、上述したように、ＥＭＤサービスというとすれば、画像データを提供するサービスは、ＥＶＤ（Electric Video Distribution）ということができる）、例えば、テレビジョン放送において、ゲームソフトのある場面が放送されたときには、そのゲームソフト（コンピュータプログラム）を提供することなどが可能である。
【０２０１】
また、本実施の形態では、伝送媒体２（図１）として地上波を利用することとしたが、伝送媒体２としては、その他、衛星回線や、インターネット、ＣＡＴＶ（Cable Television）網などを採用することが可能である。
【０２０２】
さらに、本実施の形態では、正式曲データを暗号化した圧縮暗号化データや、生成用データを暗号化したものを提供するようにしたが、正式曲データや生成用データは暗号化せずに提供することも可能である。
【０２０３】
また、本実施の形態では、復号キーなどを、有料で提供するようにしたが、無料で提供することも可能である。
【０２０４】
さらに、本実施の形態では、操作部３１（図５）を操作することにより、信号処理部２７に対して所定の入力を与えるようにしたが、信号処理部２７に対しては、その他、例えば、音声によって所定の入力を与えるようにすることなども可能である。但し、その場合には、音声認識を行う音声認識装置が必要となる。
【０２０５】
また、本実施の形態では、ブックマークデータを、データフレームのブックマーク部に配置することにより周期的に送信するようにしたが、ブックマークデータは、必ずしも周期的に送信する必要はない。
【０２０６】
【発明の効果】
本発明の情報処理システムおよび第１の情報処理方法によれば、受信側において、放送信号の送信開始時に、即座に第２の付加情報を出力することが可能となる。
【０２０７】
本発明の情報処理装置および第２の情報処理方法によれば、例えば、受信側において、放送信号の送信開始時に、即座に第２の付加情報を出力することが可能となる。
【０２０８】
本発明の受信装置および受信方法によれば、放送信号の送信開始時に、即座に第２の付加情報を出力することが可能となる。
【図面の簡単な説明】
【図１】本発明を適用したブックマークラジオシステムの一実施の形態の構成例を示すブロック図である。
【図２】本放送データおよびデータ放送データの伝送フォーマットを示す図である。
【図３】本放送データおよびデータ放送データのデータフォーマットを示す図である。
【図４】図１の送信装置１の構成例を示すブロック図である。
【図５】図１のユーザ端末３の構成例を示すブロック図である。
【図６】図１のＥＭＤサーバ５の構成例を示すブロック図である。
【図７】図４の信号処理部１３の第１の構成例を示すブロック図である。
【図８】図７の同期調整回路５５の処理を説明するためのフローチャートである。
【図９】図５の信号処理部２７の第１の構成例を示すブロック図である。
【図１０】図９の信号処理部２７の処理を説明するためのフローチャートである。
【図１１】本放送データを利用した正式曲データの提供方法を説明するための図である。
【図１２】図４の信号処理部１３の第２の構成例を示すブロック図である。
【図１３】図５の信号処理部２７の第２の構成例を示すブロック図である。
【図１４】本放送データを利用した正式曲データの提供方法を説明するための図である。
【図１５】図４の信号処理部１３の第３の構成例を示すブロック図である。
【図１６】本放送データを利用した正式曲データの提供方法を説明するための図である。
【図１７】図４の信号処理部１３の第４の構成例を示すブロック図である。
【図１８】本放送の送信内容と、データ放送の送信内容とを示す図である。
【図１９】図７の同期調整回路５５の処理を説明するためのフローチャートである。
【符号の説明】
１  送信装置，  ２  伝送媒体，  ３  ユーザ端末，  ４  インターネット，５  ＥＭＤサーバ，  ６  課金サーバ，  １１  マイク（マイクロフォン），１２  ストレージ，  １３  信号処理部，  １４，１５  ＥＣＣ回路，  １６ＭＵＸ，  １７  ディジタル変調回路，  １８  送信機，  １９，２１  アンテナ，  ２２  ディジタルラジオチューナ，  ２２Ａ  受信制御部，  ２３  ディジタル復調回路，  ２４  ＤＭＵＸ，  ２５，２６  ＥＣＣ回路，  ２６Ａ  ＲＡＭ，  ２７  信号処理部，  ２８  Ｄ／Ａ変換器，  ２９  スピーカ，  ３０  表示装置，  ３１  操作部，  ３２  モデム，  ４１  データベース，  ４２  制御部，  ４３  モデム，  ４４  課金処理部，  ５１  アンプ，  ５２  Ａ／Ｄ変換器，  ５３  ミキサ，  ５４  データ圧縮部，  ５５  同期調整回路，  ５５Ａ  メモリ，  ５６，５７  データ圧縮部，  ５８  ＭＵＸ，  ６１  データ伸張部，  ６２  ＤＭＵＸ，  ６３  セレクタ，  ６３Ａ  メモリ，  ６４  ストレージ，  ６５  ダウンロード処理部，  ６６  個人情報記憶部，  ６７  再生制御部，  ６８  復号器，  ６９，７０  データ伸張部，  １５１  ミキサ，  １５２  データ圧縮部，  １５３  暗号化部，  １６１  メモリ，  １６２  演算器，  ２５１  オーバラップ検出部，  ２５２  データ圧縮部，  ２５３  暗号化部，  ３５１  データ分割部，  ３５２  データ圧縮部，  ３５３暗号化部
【図１】
0004403468.tif 000002
【図２】
0004403468.tif 000003
【図３】
0004403468.tif 000004
【図４】
0004403468.tif 000005
【図５】
0004403468.tif 000006
【図６】
0004403468.tif 000007
【図７】
0004403468.tif 000008
【図８】
0004403468.tif 000009
【図９】
0004403468.tif 000010
【図１０】
0004403468.tif 000011
【図１１】
0004403468.tif 000012
【図１２】
0004403468.tif 000013
【図１３】
0004403468.tif 000014
【図１４】
0004403468.tif 000015
【図１５】
0004403468.tif 000016
【図１６】
0004403468.tif 000017
【図１７】
0004403468.tif 000018
【図１８】
0004403468.tif 000019
【図１９】
0004403468.tif 000020